(57)【特許請求の範囲】
【請求項１】
近位端及び遠位端を有するハウジングであって、前記ハウジングは、前記ハウジングの前記近位端における近位開口部、及び前記ハウジングの前記遠位端における遠位開口部を画定し、前記遠位開口部及び前記近位開口部は、長手方向軸上に位置付けられる、ハウジングと、
前記長手方向軸に沿って前記近位開口部内部に少なくとも部分的に位置付けられた超音波変換器と、
前記ハウジングに連結され、前記長手方向軸の周りを回転可能である、遠位回転ノブと、
前記長手方向軸に沿って前記遠位回転ノブから近位に位置付けられ、前記長手方向軸の周りを回転可能であり、かつ前記近位開口部の近傍に位置づけられる複数の縦溝を画定する、近位回転ノブと、
前記長手方向軸から離れて前記ハウジングから下向きに延在するハンドルと、
前記ハウジングに枢動可能に取り付けられ、前記ハンドルに対して枢動可能に移動可能なトリガと、
前記遠位開口部から延びる細長内視鏡シャフトアセンブリと、
前記細長内視鏡シャフトアセンブリの遠位端に配されたエンドエフェクタアセンブリと、を備える、外科用器具であって、
前記遠位回転ノブおよび前記近位回転ノブは、前記細長内視鏡シャフトアセンブリ全体を回転させるように構成されており、
前記トリガは、前記エンドエフェクタアセンブリを作動させるように構成されている、
外科用器具。
【請求項２】
前記遠位回転ノブは、複数の縦溝を備える、請求項１に記載の外科用器具。
【請求項３】
前記遠位回転ノブは、弾性材料を含む、請求項２に記載の外科用器具。
【請求項４】
前記ハウジングの前記遠位端に枢動可能に連結され、前記超音波変換器を作動させるように構成されているスイッチを更に備える、請求項１に記載の外科用器具。
【請求項５】
前記ハンドルは、近位接触面を画定し、前記外科用器具は、前記近位接触面上に形成される湾曲安定突起を備える、請求項１に記載の外科用器具。
【請求項６】
前記ハンドルは、近位接触面、サドル面、及び安定化尾部を画定し、
前記近位接触面は、第１の基準点から測定される第１の半径によって画定され、前記サドル面は、第２の基準点から測定される第２の半径によって画定され、前記安定化尾部は、第３の基準点から測定される第３の半径によって画定される、請求項１に記載の外科用器具。
【請求項７】
近位端及び遠位端を有するハウジングであって、前記ハウジングは、前記ハウジングの前記近位端における近位開口部、及び前記ハウジングの前記遠位端における遠位開口部を画定し、前記遠位開口部及び前記近位開口部は、長手方向軸上に位置付けられる、ハウジングと、
前記長手方向軸から離れて前記ハウジングから下向きに延在するハンドルと、
前記ハウジングに連結され、複数の縦溝を備え、前記長手方向軸の周りを回転可能である、遠位回転ノブと、
前記長手方向軸に沿って前記遠位回転ノブから近位に位置付けられ、前記長手方向軸の周りを回転可能であり、かつ前記近位開口部の近傍に位置づけられる複数の縦溝を画定する、近位回転ノブと、
前記遠位開口部から延びる細長内視鏡シャフトアセンブリと、
を備える、外科用器具であって、
前記遠位回転ノブおよび前記近位回転ノブは、前記細長内視鏡シャフトアセンブリ全体を回転させるように構成されている、
外科用器具。
【請求項８】
前記遠位回転ノブは、弾性材料を含む、請求項７に記載の外科用器具。
【請求項９】
前記ハウジングの前記遠位端に枢動可能に連結され、超音波変換器を作動させるように構成されているスイッチを更に備える、請求項７に記載の外科用器具。
【請求項１０】
前記ハンドルは、近位接触面を画定し、
前記外科用器具は、前記近位接触面上に形成される湾曲安定突起を更に備える、請求項７に記載の外科用器具。
【請求項１１】
前記ハンドルは、近位接触面、サドル面、及び安定化尾部を画定し、
前記近位接触面は、第１の基準点から測定される第１の半径によって画定され、前記サドル面は、第２の基準点から測定される第２の半径によって画定され、前記安定化尾部は、第３の基準点から測定される第３の半径によって画定される、請求項７に記載の外科用器具。
【請求項１２】
近位端及び遠位端を有するハウジングであって、前記ハウジングは、前記ハウジングの前記近位端における近位開口部、及び前記ハウジングの前記遠位端における遠位開口部を画定し、前記遠位開口部及び前記近位開口部は、長手方向軸上に位置付けられる、ハウジングと、
前記長手方向軸から下向きに延在するハンドルと、
前記ハウジングの前記遠位端に枢動可能に取り付けられ、完全に開いた位置から完全に閉じた位置へ前記ハンドルに対して枢動可能に移動可能なトリガと、
前記トリガに固定的に連結されて、前記完全に開いた位置から前記完全に閉じた位置へ前記ハンドルに対して前記トリガと共に移動するトリガフックであって、前記トリガ及び前記トリガフックは、それらの間に開口を画定する、トリガフックと、
前記ハウジングに連結され、複数の縦溝を備え、前記長手方向軸の周りを回転可能である、遠位回転ノブと、
前記長手方向軸に沿って前記遠位回転ノブから近位に位置付けられ、前記長手方向軸の周りを回転可能であり、かつ前記近位開口部の近傍に位置づけられる複数の縦溝を画定する、近位回転ノブと、
前記遠位開口部から延びる細長内視鏡シャフトアセンブリと、
前記細長内視鏡シャフトアセンブリの遠位端に配されたエンドエフェクタアセンブリと、
を備える、外科用器具であって、
前記遠位回転ノブおよび前記近位回転ノブは、前記細長内視鏡シャフトアセンブリ全体を回転させるように構成されており、
前記トリガは、前記エンドエフェクタアセンブリを作動させるように構成されている、
外科用器具。
【請求項１３】
前記遠位開口部と前記トリガとの間で前記ハウジングの遠位部分に枢動可能に連結され、超音波変換器を作動させるように構成されているスイッチを備え、前記スイッチは、第３の基準点を定める第１の突起ノブを備える、請求項１２に記載の外科用器具。
【発明の詳細な説明】
【開示の内容】
【０００１】
〔背景〕
中空コア及び中実コア器具の両方を含む、超音波外科用器具は、多くの病状に対する安全で有効な治療のために使用される。超音波外科用器具、及び特に中実コアの超音波外科用器具は、超音波周波数で外科用エンドエフェクタに伝達される機械的振動形態のエネルギーを使用して、組織を切断及び／又は凝固するために使用され得るため、有利である。超音波振動は、好適なエネルギーレベルで組織に伝達され、かつ好適なエンドエフェクタを使用するとき、組織を切断、切開、凝固、隆起、又は分離するために使用され得る。中実コア技術を利用する超音波外科用器具は、超音波変換器から超音波伝達導波管を通って外科用エンドエフェクタに伝達され得る超音波エネルギー量により特に有利である。このような器具は、観血的処置、又は内視鏡的若しくは腹腔鏡的処置などの低侵襲処置に使用され得、エンドエフェクタは、手術部位に到達するようにトロカール内に通される。
【０００２】
このような器具のエンドエフェクタ（例えば、切断ブレード、ボール型コアギュレータ）を超音波振動数で起動又は励起することは、隣接組織内に局部的な熱を発生させる長手方向の振動運動を誘起させ、切断及び凝固の両方を容易にする。超音波外科用器具の性質により、特定の超音波で作動させるエンドエフェクタは、例えば、切断及び凝固を含む多数の機能を行うように設計され得る。
【０００３】
超音波振動は、例えば、変換器を電気的に励磁することによって、外科用エンドエフェクタ内で誘導される。変換器は、器具ハンドピース内の１つ又はそれより多くの圧電素子又は磁歪素子から構築することができる。変換器部分によって生み出される振動は、変換器部分から外科用エンドエフェクタまで延びる超音波導波管を通じて外科用エンドエフェクタに伝達される。導波管及びエンドエフェクタは、変換器と同じ振動数で共振するように設計される。エンドエフェクタがトランスデューサに取り付けられるとき、全システムの周波数は、トランスデューサ自体と同じであってもよい。
【０００４】
トランスデューサとエンドエフェクタは、２つの異成る周波数で共振するように設計されてもよく、結合される又は連結されると第３の周波数で共振してもよい。エンドエフェクタの先端における長手方向超音波振動のゼロからピークまでの振幅ｄは、共振周波数では次に与えられるように単一シヌソイドとして挙動する。
ｄ＝Ａｓｉｎ（ωｔ）
式中、ω＝周期的な周波数ｆの２π倍に等しい角振動数、
Ａ＝ゼロからピークまでの振幅。
縦方向の振動幅（excursion）は、ピーク間（ｐ−ｔ−ｐ）振幅として定義され、正弦波の振幅のちょうど２倍又は２Ａである。
【０００５】
中実コアの超音波外科用器具は、単一要素エンドエフェクタデバイスと複数要素エンドエフェクタの２種類に分けられ得る。単一要素エンドエフェクタデバイスは、多様なブレードの種類、例えばボール型、フック型、カーブ型、及び凝固せん断型を含む。単一素子エンドエフェクタ器具は、組織が柔らかく、緩やかに支持されているときには、ブレードから組織へと圧力を加える能力が限られている。超音波エネルギーを組織に有効に連結するために、著しい圧力が必要であり得る。単一要素エンドエフェクタが、組織を把持できないと、超音波エネルギーを適用している間に組織表面を完全に接合できないという結果を更にもたらし、不十分な止血及び組織接合に至る。複数要素エンドエフェクタは、顎のような構造を形成するために、振動するブレードと連携して動作するクランプアームを備えるクランピング機構を含む。超音波クランピングコアギュレータは、組織、特に緩んだ及び支持されていない組織を切断／凝固するために、改善された超音波外科用器具を提供する。クランピング機構は、振動する超音波ブレードに対して組織を押し付け、組織に対して圧迫力又はバイアス力をかけ、組織のより速い切断及び止血（例えば、凝固）を、ブレード運動を大きく弱めることなくもたらす。
【０００６】
観血的外科的処置の代替として、多くの現代の外科医は、内視鏡及び内視鏡器具を使用して、より小さい穿刺様切開を通って臓器に遠隔的にアクセスする。その直接的結果として、患者は、より少ない瘢痕及び少ない治癒時間の恩恵を受ける傾向がある。内視鏡器具は、カニューレ、又はトロカールで作製されたポートを通って患者に挿入される。カニューレの典型的な寸法は、３ミリメートル〜１２ミリメートルの範囲である。より小さいカニューレが通常好ましい。しかしながら、より小さいカニューレは、今度は、より小さいカニューレを通り抜ける内視鏡器具の設計の追加的な課題を提示する。多くの内視鏡的外科的処置は、血管又は血管組織の切断又は結紮、並びに組織の把持、切断、切開、凝固、隆起、操作、及び／又は分離を必要とする。
【０００７】
本明細書における目的のために、「凝固」は、組織細胞が破裂し、乾燥した組織を乾燥させるプロセスとして定義される。「血管の封止」又は「組織封止」は、組織内のコラーゲンを液化し、それにより、融合塊に再形成するプロセスとして定義される。小血管の凝固は、恒久的にそれらを閉鎖するのに十分であるが、大血管は、恒久的な閉鎖を確実にするために封止される必要がある。組織溶着は、創傷及び血管を閉じるための技術であり、多くの外科専門領域で適用されている。組織溶着は、創傷又は血管に止血シールを形成する、並びに強い吻合を組織に形成することによって創傷を閉じるための技術である。超音波外科用器具は、組織への側面熱損傷を最小にして止血をもたらすために用いられ得る。止血又は吻合は、組織への機械的エネルギーの移動により発生する。内部細胞摩擦は水素結合を破断し、結果としてタンパク質の変性をもたらす。タンパク質は、１００℃以下の温度で変性されると、粘着性の凝塊が形成され、小血管を封止する。吻合は、効果が長期に及ぶときに発生する。したがって、振動するブレード中の超音波エネルギーは、止血シールを血管及び創傷の隣接組織に形成するために、並びに強い吻合を組織に形成するために用いられ得る。超音波で振動している単一又は複数のエンドエフェクタは、単独で又はクランピング機構との組み合わせのいずれかにおいて、エンドエフェクタ及び／又は組織の温度に関係なく、血管を封止するのに十分な機械的エネルギーを生成する。組織の強い吻合を形成するために、エンドエフェクタ及び組織の温度は、組織を乾燥させずに組織を共に封止する凝塊を形成できるように、およそ５０℃未満に維持されるべきである。
【０００８】
医療器具の設計において、特定の設計の人間工学の実行可能性を評価するために、いくつかの要因を適用することができる。人間工学の一要因は、快適性である。快適性は、必要以上の筋挫傷、圧点、又は他の有害な人間工学的影響を伴わずに装置を操作し、制御する能力によって特徴付けられ得る。快適性は、ユーザの骨格に適合するように配置される適切な寸法の特徴部、及びユーザの体に対する力の妥当な分布から生じる。疲労、疼痛、又は精度の損失を伴わずに長期間にわたって器具を使用する能力は、快適性を測る基準である。人間工学の別の要因は、快適性を測る基準である疲労、疼痛、又は精度の損失を伴わずに長期間にわたって器具を使用する能力である。快適性だけではなく、一客観的要因は、容易に外科的任務を遂行するために必要な制御の程度を有する装置の作業端を制御する能力である。この制御が到達され得る程度は、まず、ユーザの手中の器具の固有安定性から生じ、次に、特定の器具制御を操作するために、より微細な運動を行う能力から生じる。設計努力は、微調整を利用するために適切なアクセス及び可動性を容易にしつつ、手中の総合安定性を達成する能力のバランスをとる。手中の外科用器具の安定性は、多様なグリップを介して遂行され得る。一般的なグリップは、とりわけ、リングハンドル、インライン鋏、及びピストル構成を含む。ピストルグリップは、一般的に、以下の手上の固定点を提供する。
（１）関節の水かきにある親指と人差し指との間にある点
（２）親指と人差し指との間の把持力
（３）トリガ、動力スイッチ、ノブ、レバー、又は他の機能を作動させるときの指と手のひらとの間の保持力
【０００９】
外科的空洞の固有の空間的考慮のため、外科医は、カニューレを通して患者に挿入される内視鏡器具を使用して伝統的な外科手技を行うことにしばしば苦労する。多くの内視鏡器具、特に腹腔鏡超音波外科用器具の多機能性能と関連する空間的制限は、外科医が器具の多面的機能及び制御に容易にアクセスし、操作するという人間工学的課題をもたらす。複数要素エンドエフェクタを有する多くの超音波外科用器具は、クランピング機構の顎部の高い力を必要とし、それは、次に、ハンドル／トリガでのより高いインプット力を必要とする。これは、ユーザのための快適なハンドル／トリガの境界面を提供する際の課題をもたらす。外科医の手上に疲労又は圧点を生じさせずに微細な切開を容易にするために、外科医が顎部の開口運動を精細に制御することを可能にすることは同様に重要である。超音波器具ハウジング上の電源スイッチを起動することも、課題を提示する。外科医は、不注意又は意図的でない起動を常に回避しつつ、任意の時点で任意のスイッチに容易にアクセスする必要がある。外科医が行う必要がある他の機能は、シャフトを回転させることか、又は電力レベルを選択することを含む。加えて、ユーザは、これらの機能のいずれも、見ずに操作することができなければならず、それは、腹腔鏡的処置中、モニタ表示に完全に集中することを可能にする。加えて、ユーザが、任意のこれらの主要な機能、動力スイッチを操作するためにグリップを再配置しなくてよく、エンドエフェクタのクランピング機構の顎部を開けている間にクランプ力又は電力レベルを容易に操作することができることが望ましい場合がある。
【００１０】
従来の腹腔鏡超音波外科用器具によって提示される他の人間工学的課題は、時折同時に、多面的機能に容易にアクセスし、操作するユーザの能力を含む。典型的に、人差し指を使用して、装置ハンドルの遠位端に配置される回転の部を操作し、シャフトを回転させる。しかしながら、電源ボタン／スイッチを制御することも、人差し指の使用を採用し、回転ノブ及びスイッチの両方が人差し指によって到達され得るように、それらをハウジング上に配置することに関して固有の課題をもたらす。超音波装置は、様々な手の位置で多くの手の寸法に対してアクセス可能でなければならない、シャフト回転、電源設定、及びトリガ閉鎖などの複数の制御を含む。
【００１１】
伝統的な腹腔鏡超音波外科用器具は、通常、シャフトを回転させるために人差し指でアクセスすることができる、器具の遠位端に配置される回転制御ノブを有する。しかしながら、電源ボタン／スイッチを制御することも、人差し指の使用を採用し、回転ノブ及びスイッチの両方が人差し指によって到達され得るように、それらをハウジング上に配置することに関して固有の課題をもたらす。指先回転制御は、特に器具が、治療される生体組織の近くに器具の先端を位置付ける必要があり得る極端な角度又は向きで適所に配置されるとき、手が小さい外科医にとって到達することがしばしば困難であり得る。
【００１２】
手の寸法に関して、すべての人に対して「理想的」である、制御境界面の寸法、形状、及び位置に関してハンドル設計を有する腹腔鏡超音波外科用器具を作製することは、長年の課題である。小柄の女性から大柄の男性の身体計測の非常に大きい差異は、範囲の両極端にいるユーザに対して伝統的に課題をもたらす。手の寸法の差異に対応する様々な異なる寸法のハンドルを有する器具が考慮されているが、購入者は、一般的により少ない在庫を持つことを望むため、複数のバリエーションは、受け入れられていない。加えて、ある寸法のハンドルが、特定の病院の特定の医師に対して利用可能ではない場合があるというリスクが常に存在する。
【００１３】
多くの超音波外科用器具、特に腹腔鏡超音波外科用器具の多機能性能は、器具の多面的機能及び制御に快適にアクセスし、操作するユーザの能力における人間工学的課題をもたらす。これは、例えば、時折同時に、クランピング機構の顎部を快適に作動させ、手による制御ボタン／スイッチを起動する能力を含む。ユーザは、切開を広げることを容易にするために、エンドエフェクタの開口運動を制御することが可能であるべきである。腹腔鏡ハンドル境界面設計は、「固定された」指に対抗する親指の外向きの動作を使用して、この外向きの運動を可能にする「鋏」型リングを伝統的に組み込む。しかしながら、これは、先端の最適な制御を提供しない。いくつかの従来の超音波外科用器具は、ハンドルストック上のグリップを維持しつつ、ユーザの人差し指及び中指で外向きに押されるトリガを組み込むピストルグリップを備えるが、これは、疲労及び手の緊張をもたらし得る。しかしながら、この外向きの運動は、腹腔鏡的処置中に微細な切開を行うとき必要であり得る。ピストルグリップ式ハンドルは、快適性、容易性、及び安定性を外科医に提供する。しかしながら、従来のピストルグリップ式ハンドルは、多くの外科医が代わりに鋏グリップ式設計を好む切開に対して最適ではない場合がある。
【００１４】
したがって、快適に多面的機能にアクセスし、操作するユーザの能力を提供する超音波外科用器具のための人間工学的ハンドルアセンブリの必要性が存在する。加えて、ユーザがクランピング機構の顎部を快適に作動させ、手による制御ボタン／スイッチを起動することを可能にする超音波外科用器具のためのハンドルアセンブリの必要性が存在する。広範囲の手の寸法に対する人間工学的快適性、安定性、及び制御性に関してハンドルアセンブリを最適化する必要性も存在する。
【００１５】
〔概要〕
一実施形態では、外科用器具ハンドルアセンブリは、近位端及び遠位端を有するハウジングを備える。近位開口部は、ハウジングの近位端に形成される。遠位開口部は、ハウジングの遠位端に形成される。近位及び遠位開口部は、長手方向軸を定める。ハンドルは、長手方向軸から下向きに延在する。ハンドルは、近位接触面、サドル面、及び安定化尾部を画定する。トリガは、ハウジングに枢動可能に取り付けられ、ハンドルに対して枢動可能に移動可能である。
【図面の簡単な説明】
【００１６】
【図１】超音波外科用器具の一実施形態の右側面図。
【図２】超音波変換器を有さない、図１に示される超音波外科用器具の一実施形態の右側面図。
【図３】ハウジング、遠位回転アセンブリ、細長内視鏡シャフトアセンブリ、及びエンドエフェクタアセンブリを示す、超音波外科用器具の一実施形態の左斜視図。
【図４】図３に示される超音波外科用器具の左側面図。
【図５】図３に示される超音波外科用器具の一実施形態の平面図。
【図６】図３に示される超音波外科用器具の一実施形態の底面図。
【図７】図３に示される超音波外科用器具の一実施形態の正面図。
【図８】図３に示される超音波外科用器具の一実施形態の背面図。
【図９】図３に示される超音波外科用器具の一実施形態の拡大正面図。
【図１０】図３に示される超音波外科用器具のエンドエフェクタアセンブリ部分の一実施形態の左斜視図。
【図１１】図３に示される超音波外科用器具のエンドエフェクタアセンブリ部分の一実施形態の左斜視図。
【図１２】図３に示される超音波外科用器具のエンドエフェクタアセンブリ部分の一実施形態の右斜視図。
【図１３】中心軸「Ｔ」を示す、図３に示される超音波外科用器具の一実施形態の左斜視図。
【図１４】図３に示される超音波外科用器具の分解図。
【図１５】図３に示されるハンドルアセンブリの一実施形態の右半分の左斜視図。
【図１６】図３に示されるハンドルアセンブリの一実施形態の右半分の右斜視図。
【図１７】図３に示されるハンドルアセンブリの一実施形態の右半分の左側面図。
【図１８】図３に示されるハンドルアセンブリの一実施形態の右半分の右側面図。
【図１９】図３に示されるハンドルアセンブリの一実施形態の右半分の部分切り取り平面図。
【図２０】図３に示されるハンドルアセンブリの一実施形態の右半分の部分切り取り底面図。
【図２１】図３に示されるハンドルアセンブリの一実施形態の右半分の部分切り取り正面図。
【図２２】図３に示されるハンドルアセンブリの一実施形態の右半分の部分切り取り底面図。
【図２３】図３に示される超音波外科用器具の一実施形態の左斜視図。
【図２４】図３に示される超音波外科用器具の一実施形態の一部を切り取った左斜視図。
【図２５】図３に示されるハンドルアセンブリの一実施形態の様々なユーザーインターフェースの間の関係。
【図２６】図３に示されるハンドルアセンブリの一実施形態の様々なユーザーインターフェースの間の関係。
【図２７】超音波外科用器具の一実施形態。
【図２８】近位回転ノブを備える超音波外科用器具の一実施形態の右側面図。
【図２９】図２８に示される超音波外科用器具の一実施形態の拡大右斜視図。
【図３０】近位回転アセンブリを備える超音波外科用器具の一実施形態の右側面図。
【図３１】近位回転アセンブリ及び超音波変換器がハウジングから離れた、図３０に示される超音波外科用器具の一実施形態の右側面図。
【図３２】超音波変換器から離れた、図３０及び３１に示される近位回転アセンブリの右側面図。
【図３３】近位及び遠位回転アセンブリの両方を備える超音波外科用器具のためのハンドルアセンブリの一実施形態の左側面図。
【図３４】図３３に示されるハンドルアセンブリの一実施形態の拡大部分的左斜視図。
【図３５】超音波外科用器具のためのハンドルアセンブリの一実施形態の部分切り取り図。
【図３６】図３５に示されるハンドルアセンブリのハウジング内にあるロッカースイッチ及び往復ヨークアセンブリの一実施形態の拡大部分図。
【図３７】ハウジングの左ハウジング部分が取り外された、近位及び遠位回転アセンブリの両方を備える超音波器具のためのハンドルアセンブリの一実施形態の右ハウジング部の右斜視図。
【図３８】ハウジングの左ハウジング部分が取り外された、図３７に示されるハンドルアセンブリの一実施形態の右ハウジング部分の左斜視図。
【図３９】ハウジングの左ハウジング部分が取り外された、図３７に示されるハンドルアセンブリの一実施形態の右ハウジング部分の左側面図。
【図４０】左ハウジング部分が取り外された、図３７に示されるハンドルアセンブリの一実施形態の右ハウジング部分の側面図。
【図４１】線４１−４１に沿った、図３９に示されるハンドルアセンブリの一実施形態の右ハウジング部分の平面図。
【図４２】線４２−４２に沿った、図３９に示されるハンドルアセンブリの一実施形態の右ハウジング部分の底面図。
【図４３】線４３−４３に沿った、図４１に示されるハンドルアセンブリの一実施形態の右ハウジング部分の正面図。
【図４４】線４４−４４に沿った、図４１に示されるハンドルアセンブリの一実施形態の右ハウジング部分の背面図。
【図４５】図３７〜４４に示される近位回転アセンブリの一実施形態の分解図。
【図４６】図４５に示される近位回転アセンブリの一実施形態の側面図。
【図４７】線４７−４７に沿った、図４６に示される近位回転ノブの一実施形態の背面図。
【図４８】線４８−４８に沿った、図４６に示される近位回転ノブの一実施形態の正面図。
【図４９】線４９−４９に沿った、図４６に示される円筒形の基質の一実施形態の正面図。
【図５０】線５０−５０に沿った、図４６に示される円筒形の基質の一実施形態の背面図。
【図５１】図３７〜４４に示される遠位回転アセンブリの一実施形態の斜視図。
【図５２】図５１に示される遠位回転アセンブリの一実施形態の斜視図。
【図５３】図５１に示される遠位回転アセンブリの一実施形態の第１の平面図。
【図５４】４５度に回転した、図５３に示される遠位回転アセンブリの一実施形態の第２の平面図。
【図５５】線５５−５５に沿った、図５４に示される遠位回転アセンブリの一実施形態の背面図。
【図５６】線５６−５６に沿った、図５３に示される遠位回転アセンブリの一実施形態の正面図。
【図５７】左ハウジング部分の遠位端に機械的に係合される、図３７〜４４に示される遠位回転アセンブリの一実施形態の部分的右斜視図。
【図５８】ハンドルアダプタを受容するために好適な超音波外科用器具のためのハンドルアセンブリの一実施形態の右側面斜視図。
【図５９】図５８に示されるハンドルアセンブリの一実施形態、及びハンドルアダプタの一実施形態の右側面斜視図。
【図６０】それに取り付けられる、図５９に示されるハンドルアダプタを備える、図５８〜５９に示されるハンドルアセンブリの一実施形態の右側面斜視図。
【図６１】超音波外科用器具のハンドルアセンブリに取り付けるために好適なスナップボタン特徴部を含むハンドルアダプタの一実施形態の右斜視図。
【図６２】図６１に示されるスナップボタン特徴部を含むハンドルアダプタの一実施形態の左斜視図。
【図６３】図６２に示されるスナップボタン特徴部を含むハンドルアダプタの一実施形態の左側面図。
【図６４】図６１に示されるスナップボタン特徴部を含むハンドルアダプタの一実施形態の右側面図。
【図６５】線６５−６５に沿った、図６３に示されるスナップボタン特徴部を含むハンドルアダプタの一実施形態の正面図。
【図６６】線６６−６６に沿った、図６３に示されるスナップボタン特徴部を含むハンドルアダプタの一実施形態の背面図。
【図６７】線６７−６７に沿った、図６５に示されるスナップボタン特徴部を含むハンドルアダプタの一実施形態の平面図。
【図６８】線６８−６８に沿った、図６６に示されるスナップボタン特徴部を含むハンドルアダプタの一実施形態の底面図。
【図６９】図６１に示されるスナップボタン特徴部を含むハンドルアダプタの一実施形態の後面斜視図。
【図７０】ループハンドルアダプタアセンブリを備える超音波外科用器具のハンドルアセンブリの一実施形態。
【図７１】図７０に示されるループハンドルアダプタアセンブリの正面斜視図。
【図７２】図７１に示されるループハンドルアダプタアセンブリの後面斜視図。
【図７３】図７１に示されるループハンドルアダプタアセンブリの左斜視図。
【図７４】図７１に示されるループハンドルアダプタアセンブリの右斜視図。
【図７５】図７１に示されるループハンドルアダプタアセンブリの右側面図。
【図７６】図７１に示されるループハンドルアダプタアセンブリの左側面図。
【図７７】線７７−７７に沿った、図７５に示されるループハンドルアダプタアセンブリの正面図。
【図７８】線７８−７８に沿った、図７６に示されるループハンドルアダプタアセンブリの背面図。
【図７９】線７９−７９に沿った、図７７に示されるループハンドルアダプタアセンブリの平面図。
【図８０】線８０−８０に沿った、図７８に示されるループハンドルアダプタアセンブリの底面図。
【図８１】図７１〜８０に示されるループアダプタの一実施形態の左斜視図。
【図８２】図７１〜８０に示されるループアダプタの一実施形態の正面斜視図。
【図８３】図７１〜８０に示されるループハンドルアセンブリの可撓性要素部分の一実施形態の後面斜視図。
【図８４】図８３に示される可撓性要素の一実施形態の右側面図。
【図８５】図８３に示される可撓性要素の一実施形態の左側面図。
【図８６】線８６−８６に沿った、図８４に示される可撓性要素の一実施形態の正面図。
【図８７】線８７−８７に沿った、図８５に示される可撓性要素の一実施形態の背面図。
【図８８】固定ハンドルの後ろ又は近位の位置に形成される湾曲安定突起を備える超音波外科用器具のためのハンドルアセンブリの一実施形態。
【図８９】固定ハンドルの両側上に形成される突出部を備える超音波外科用器具のためのハンドルアセンブリの一実施形態。
【図９０】固定ハンドルの両側上に形成される突出部を備える超音波外科用器具のためのハンドルアセンブリの一実施形態。
【００１７】
〔説明〕
様々な実施形態を詳細に説明する前に、実施形態はその用途又は使用において、添付の図及び説明に例示される部品の構成及び配列の詳細に限定されないことに留意すべきである。例示的な諸実施形態は、他の実施形態、変形形態、及び修正形態に実装され又は組み込まれてもよく、様々な方法で実践又は実施されてよい。例えば、以下に開示される外科用器具、ハンドルアセンブリ、ハンドルアダプタ、及びそれらに関連する他の構成要素は一例にすぎず、その範囲又は適用を制限することを意図しない。更に、特に指示のない限り、本明細書で用いる用語及び表現は、読者の便宜のために例示的な諸実施形態を説明する目的で選択されたものであって、それらの範囲を制限するためのものではない。
【００１８】
「近位」及び「遠位」という用語は、本明細書において、超音波外科用器具のハンドルアセンブリのハンドル部分を把持する臨床医に関して使用されることが理解されるであろう。そのため、エンドエフェクタは、より近位のハンドル部分に対して遠位にある。更に、便利かつ明瞭にするため、「頂部」及び「底部」などの空間的用語も、本明細書において、ハンド部分（hand portion）を把持する臨床医に関して使用されることが理解されるであろう。しかしながら、外科用器具は、多くの向き及び位置で使用され得、これらの用語は、限定的及び絶対的であることを意図したものではない。「右」という用語は、遠位端から近位端への器具の「前側」を見るユーザの視点からの器具の右側を指す。「左」という用語は、遠位端から近位端への器具の「前側」を見るユーザの視点からの器具の左側を指す。「後ろ」という用語は、器具の近位端から遠位端を見るユーザの視点からの器具の後ろを指す。
【００１９】
様々な実施形態は、概して、腹腔鏡及び／又は伝統的な観血的外科的処置における使用のための改善された多機能性能及び人間工学的制御特徴を有する超音波外科用器具に関する。超音波外科用器具の様々な実施形態に関して記載される人間工学的特徴は、臨床任務を行うときに外科医が有する正確性及び制御のレベルを最大にするために、器具上の複数の位置に配置される器具の多面的機能に容易かつ快適にアクセスし、操作するユーザの能力を強化する。
【００２０】
本明細書において記載される超音波外科用器具の様々な実施形態は、ユーザのためのハンドルとトリガとの境界面に関連する快適かつ人間工学的制御特徴を含む。これは、エンドエフェクタの顎部の間に非常に高いクランプ力を必要とする適用におけるストレス及び疲労を軽減することができる。人間工学的特徴は、微細な切開などの様々な外科的処置を容易にするために、顎部の開口運動の制御の容易性を提供する。電源スイッチは、超音波変換器アセンブリを起動するために提供される。これらのスイッチは、ユーザが不注意又は意図的でない起動を常に回避しつつ、任意の時点で１つ又はそれより多くの動力スイッチに容易にアクセスすることができるように手動であり得る。スイッチは、ユーザが見ずに適切なスイッチを選択することを可能にする特徴部を含む。同様に、シャフトの回転制御は、容易にアクセスされる。これは、例えば、ユーザが腹腔鏡的処置中、モニタ表示に完全に集中することを可能にする。スイッチは、ユーザが器具上のグリップを再配置することなく起動され得る。ユーザは、エンドエフェクタの顎部を同時に開けつつ、電力応用を容易に制御することができる。一実施形態では、動力スイッチは、ＭＩＮ／ＭＡＸロッカー式又は「トグル」式スイッチとして実践され得る。前位置では、ＭＩＮ／ＭＡＸトグルスイッチは、ハンドグリップの再配置をせずに電源起動のための容易にアクセス可能な接触面突起を提供し、制御を維持し、注意を手術部位（例えば、腹腔鏡的処置におけるモニタ）に集中させるために好適にする。
【００２１】
小柄の女性から大柄の男性の身体計測及び様々な民族の大きな差異に好適に対応する制御境界面の寸法、形状、及び位置に関して、外科用器具ハンドルを提供する念願の必要性が存在している。範囲の両極端でのユーザは、目的通りに従来の寸法の器具ハンドルを使用することに伝統的に苦労する。そのため、様々な実施形態は、実質的に広い範囲の手の寸法に好適に対応する外科用器具のためのハンドルアセンブリを提供する。様々な実施形態は、使用中に外科用器具を快適に制御するためのより最適に設計された人間工学的特徴を提供する。様々な実施形態は、複数の人間工学的ハンドアダプタを提供する。
【００２２】
本明細書に開示されるデバイス及び方法の構造、機能、製造及び使用の原理について、総合的な理解を提供するために、特定の実施形態を以下に記載する。これらの実施形態の１つ以上の実施例は、添付の図面に例示されている。本明細書で明確に記載し添付図面に図示されるデバイス及び方法が非限定的な実施形態であり、様々な実施形態の範囲が特許請求の範囲によってのみ定義されることが、当業者には理解されよう。１つの実施形態に関連して図示又は記載される特徴は、他の実施形態の特徴と組み合わせることができる。そのような修正形態及び変形形態は、特許請求の範囲内に含まれるものとする。
【００２３】
図１〜２５は、内視鏡的又は伝統的な観血的外科的処置に好適な超音波外科用器具の一実施形態を示す。図１〜２５に示される実施形態では、外科用器具は、腹腔鏡及び／又は伝統的な観血的外科的処置における使用のための改善された多機能性能及び人間工学的特徴を含む。外科用器具の人間工学的特徴は、外科用器具の多面的機能及び制御に容易にアクセスし、操作するユーザの能力を強化する。多機能超音波外科用器具の人間工学的特徴は、ユーザが器具の多面的機能及び制御に容易にアクセスし、操作することを可能にする。
【００２４】
一実施形態では、器具は、ハンドルアセンブリを備え、ハンドルアセンブリの遠位端に配置される回転ノブを備える。ユーザは、指を使用して、遠位回転ノブを操作することができる。回転ノブは、エンドエフェクタアセンブリのクランピング機構に連結される、超音波伝達導波管シャフトに機械的に係合される。そのため、ユーザは、指を使用して遠位回転ノブを回転させ、エンドエフェクタアセンブリのクランピング機構の顎部を好適に配向させることができる。
【００２５】
一実施形態では、ハンドルアセンブリは、超音波変換器を通電させるための電力を制御するロッカースイッチを備える。一実施形態では、ロッカースイッチは、最大（ＭＡＸ）電源設定と最小（ＭＩＮ）電源設定との間で旋回する。ＭＩＮ／ＭＡＸロッカースイッチは、ハンドルアセンブリの固定ハンドル部分上に好適に配置され、それにより、ロッカースイッチは、遠位回転ノブを操作する同じ指で操作され得る。しかしながら、ボタン式スイッチは、トリガなどの器具の可動部上に配置され得る。したがって、シャフトの回転及び電源投入の操作の両方に対して、同じ指を使用することができる。ロッカースイッチは、識別触覚特徴部を含むことができる。
【００２６】
一実施形態では、フック特徴部を含む旋回可能に移動可能なトリガは、エンドエフェクタアセンブリの顎部又はクランピング機構を作動させるために使用され得る。一連の連鎖は、トリガの枢動回転を、作動機構に連結するヨークの軸動作へと変換し、それは、超音波外科用器具の遠位端に配置されるエンドエフェクタアセンブリのクランピング機構の顎部の開閉を制御する。一実施形態では、複数のリンクは、比較的短い枢動回転長さにおける機械利得を提供するために使用され得る。トリガは、遠位回転ノブ又はトグルスイッチを制御するために使用される指以外の指によって操作され得る。トリガ起動指は、フック特徴部に係合し、エンドエフェクタアセンブリのクランピング機構の顎部を所定の状態に戻すために使用され得る。
【００２７】
一実施形態では、回転ノブは、超音波外科用器具の近位端に配置され得る。近位回転ノブは、親指又は指で容易にアクセスされ得、遠位に配置された回転ノブに関連し得る任意の障害又は「到達」を実質的に減少させる。
【００２８】
一実施形態では、回転ノブは、超音波外科用器具の遠位及び近位端に配置され得る。遠位及び近位回転ノブは、便利さのために、親指又は指で容易にアクセスされ得る。更に、交互に使用される親指と指の作用の相対する性質は、超音波変換器に電力を供給する電気コードの巻きを実質的に減少させる。ユーザの自然な傾向は、押し上げるより押し下げるほうが容易であるため、下向きの方向のみに回転させる。遠位及び近位両方の回転ノブでは、右利きのユーザは、近位ノブを使用して左に回転させるように押し下げ、遠位ノブを使用して右に回転させるように押し下げ、それによって、一方向のみへの回転の「コード巻き」を減少又は排除する。遠位及び近位回転ノブは、互いに連携され得るか、又は独立して回転され得る。
【００２９】
様々な実施形態では、複数のアダプタは、異なる寸法の手に対応するために提供され得る。アダプタは、開いた近位端を備えることができ、摩擦によってか、又はスナップボタンによるかのいずれかでハンドルアセンブリの固定ハンドルに取り外し可能に取り付けることができる。アダプタは、中を通して親指を受容するためのループを形成するために閉じた近位端を備えることができる。ループアダプタの様々な実施形態は、追加的な快適性のために柔軟な高分子要素を含む。
【００３０】
一実施形態では、ハンドルアセンブリは、ハンドルアセンブリの固定ハンドル部分上に形成される突起部を備えることができる。別の実施形態では、ハンドアセンブリは、ハンドルアセンブリの固定ハンドルの両側上に形成される突出部を備えることができる。これらの突起及び突出部は、器具を操作している間にある超音波外科用器具を使用するとき、疲労を低下又は最小化し、制御を増加させる。
【００３１】
図１は、超音波外科用器具１００の一実施形態の右側面図である。示された実施形態では、超音波外科用器具１００は、内視鏡的又は伝統的な観血的外科的処置を含む様々な外科的処置において使用され得る。一実施形態では、超音波外科用器具１００は、ハンドルアセンブリ１０２と、細長内視鏡シャフトアセンブリ１１０と、超音波変換器１１４とを備える。ハンドルアセンブリ１０２は、トリガアセンブリ１０４と、遠位回転アセンブリ１０６と、スイッチアセンブリ１０８とを備える。細長内視鏡シャフトアセンブリ１１０は、エンドエフェクタアセンブリ１１２を備え、それは、組織を切開するか、又は血管及び／又は組織を相互に握る、切断する、及び凝固する要素と、エンドエフェクタアセンブリ１１２を作動させる作動要素とを備える。ハンドルアセンブリ１０２は、超音波変換器１１４を近位端に受容するように適合される。超音波変換器１１４は、細長内視鏡シャフトアセンブリ１１０及びエンドエフェクタアセンブリ１１２の部分に機械的に係合される。超音波変換器１１４は、ケーブル１１８を介して発生器１１６に電気的に連結される。図面のほとんどが、内視鏡的外科的処置に関連する使用のための複数のエンドエフェクタアセンブリ１１２を描写するが、超音波外科用器具１００は、より伝統的な観血的外科的処置において使用され得る。本明細書における目的のために、超音波外科用器具１００は、内視鏡器具に関して記載されるが、開いた型の超音波外科用器具１００も、本明細書において記載されるものと同じか、又は同様の操作構成要素及び特徴部を含むことができることが想定される。
【００３２】
図２は、超音波変換器１１４を有さない、図１に示される超音波外科用器具１００の一実施形態の右側面図である。示された実施形態では、トリガアセンブリ１０４は、固定ハンドル１２２と連携して機能するトリガ１２０を備える。固定ハンドル１２２及びトリガ１２０は、ユーザと快適に相互作用するように人間工学的に形成され、適合される。固定ハンドル１２２は、ハンドルアセンブリ１０２と一体的に関連される。トリガ１２０は、超音波外科用器具１００の操作に関して以下に詳述されるように、固定ハンドル１２２に対して枢動可能に移動可能である。トリガ１２０は、ユーザがトリガ１２０に対して圧迫力をかけるとき、固定ハンドル１２２への方向１２１Ａに枢動可能に移動可能である。バネ要素１８２（図１４）は、ユーザがトリガ１２０に対する圧迫力を解放するとき、トリガ１２０を方向１２１Ｂに枢動可能に移動させる。
【００３３】
一実施形態では、トリガ１２０は、細長トリガフック１２４を備え、それは、細長トリガフック１２４とトリガ１２０との間の開口１２６を画定する。開口１２６は、中を通してユーザの１つ又は複数の指を受容するために好適な寸法である。トリガ１２０は、トリガ１２０の基質を覆うように成型される弾性部分１２０ａも備えることができる。オーバーモールド弾性部分１２０ａは、外向きの方向１２１Ｂへのトリガ１２０の制御のためのより快適な接触面を提供するために形成される。一実施形態では、オーバーモールド弾性部分１２０ａは、細長トリガフック１２４の一部分を覆うように提供され得る。例えば、示された実施形態では、オーバーモールド弾性部分１２０ａは、指と細長トリガフック１２４との間の接触面の衝撃を和らげるために、細長トリガフック１２０の内側部分の遠位及び上面を覆うように提供される。細長トリガフック１２０の近位面は、被覆されていないか、又はユーザが指を開口１２６の内外へ容易にスライドさせることを可能にするために非弾性基質で被覆されたままである。他の実施形態では、細長トリガフック１２４は、例えば、ＧＬＳ社（GLS Corporation）によって作製されるバーサフレックス（Versaflex）（登録商標）ＴＰＥ合金を含む柔軟な弾性可撓性高分子材料で形成されるオーバーモールド構成要素を組み込むことができる。細長トリガフック１２４のオーバーモールド弾性部分１２０ａは、追加的な快適性を提供するか、又はユーザのためのより安定したグリップを形成することができる。細長トリガフック１２４の内部分の上部分上のオーバーモールド弾性部分１２０ａは、指が開口１２６に入る際、指に対する端圧点を軽減するように輪郭付けられて形成され得る。別の実施形態では、トリガの形状は、完全に閉じたループを形成し、中を通してユーザの１つ又は複数の指を受容するために好適な寸法である開口を画定する。完全に閉じたループトリガは、トリガ基質を覆うように成型される弾性部分も備えることができる。オーバーモールド弾性部分は、外向きの方向へのトリガの制御のためのより快適な接触面を提供するために形成される。
【００３４】
一実施形態では、固定ハンドル１２２は、近位接触面１２８と、グリップアンカー又はサドル面１３０とを備える。サドル面１３０は、親指及び人差し指が手上で合わさる水かきの上に載る。近位接触面１２８は、リング又は開口を有さない通常のピストルグリップで手のひらを受容するピストルグリップ輪郭を有する。近位接触面１２８のプロファイル曲線は、手のひらに適合するか、又はこれを受容するような輪郭であり得る。超音波器具１００を使用している間に快適性及び制御を提供するために、近位接触面１２８のプロファイルは、手のひら及び親指の付け根の中央の谷部分における自然の解剖学的輪郭に適合するように最適化される。サドル面１３０は、グリップの安定性の主要点を提供し、それは、ハンドルアセンブリ１０２の制御の安定性の基盤である。サドル面１３０は、固定ハンドル１２２の近位接触面１２８、細長トリガフック１２４、遠位回転アセンブリ１０６、及びトグルスイッチ１３２に対する、指及び親指の運動の範囲を決定する基準点である。安定化尾部１３１は、ハンドルアセンブリ１０２のより近位の部分に向かって配置される。安定化尾部１３１は、ハンドルアセンブリ１０２を安定させ、ハンドルアセンブリ１０２をより制御可能にするために、親指と人差し指との間に配置される手の最も上の水かき部分と接触することができる。安定化尾部１３１は、超音波外科用器具１００の近位重量が制限運動を伴わずに手の上部に分配されることを可能にするために、近位方向へ延在する領域を提供する。サドル面１３０及び安定化尾部１３１の構成は、ハンドルアセンブリ１０２を操作している間にユーザのための安定性、快適性、及び制御のより良い感覚を提供する。
【００３５】
一実施形態では、スイッチアセンブリ１０８は、トグルスイッチ１３２を備えることができる。トグルスイッチ１３２は、同時起動の可能性を排除するために、ハンドルアセンブリ１０２の内側に配置される中心旋回軸３０４（図３４）を有する単一構成要素として実践され得る。一実施形態では、トグルスイッチ１３２は、最小電力レベル（例えば、ＭＩＮ）と最大電力レベル（例えば、ＭＡＸ）との間の超音波変換器１１４の電源設定を設定するための第１の突起ノブ１３２ａ及び第２の突起ノブ１３２ｂを備える。トグルスイッチ１３２は、第１の突起ノブ１３２ａ及び第２の突起ノブ１３２ｂが作動する際、中心旋回軸３０４の周りを回転する。１つ又はそれより多くの突起ノブ１３２ａ、ｂは、１つ又はそれより多くのアームに連結され、それは、小アークを通って移動し、電気接触子（例えば、図３６に示される電気要素１７２ｂ）に、第１又は第２の突起ノブ１３２ａ、ｂの起動に従って超音波変換器１１４を電気的に通電させるか、又は電力を切るように電気回路を開閉させる。トグルスイッチ１３２は、超音波変換器１１４の起動を制御するために発生器１１６に連結される。トグルスイッチ１３２は、超音波変換器１１４を起動し、超音波変換器１１４に対して１つ又はそれより多くの電源設定を設定するための１つ又はそれより多くの電源設定スイッチを備える。トグルスイッチ１３２を起動するために必要な力は、サドル点１３０に実質的に向かうため、トグルスイッチ１３２が起動されるとき、手中で回転する器具のあらゆる傾向を回避する。
【００３６】
一実施形態では、第１及び第２の突起ノブ１３２ａ、ｂは、ハンドルアセンブリ１０２の遠位端上に配置され、それにより、それらは、ハンドグリップの最小の再配置を伴うか、又は実質的に再配置を伴わずに電力を起動するためにユーザによって容易にアクセス可能であり得、トグルスイッチ１３２を作動させている間に、制御を維持し、注意を手術部位（例えば、腹腔鏡的処置におけるモニタ）に集中させることを好適にする。突起ノブ１３２ａ、ｂは、様々な指の長さによってより容易にアクセス可能となり、扱い難い位置、又は短い指のために起動へアクセスのより高い自由度を可能にするために、ある程度、ハンドルアセンブリ１０２の側面を包み込むように構成され得る。
【００３７】
一実施形態では、第１及び第２の突起ノブ１３２ａ、ｂは、例えば、ＧＬＳ社（GLSCorporation）によって作製されるバーサフレックス（Versaflex）（登録商標）ＴＰＥ合金を含む柔軟な弾性可撓性高分子材料でオーバーモールドされ得る。オーバーモールド材料は、滅菌に耐え、生体適合性となるように選択され得る。更に、材料は、適切なレベルの弾性を与え、外科用手袋に妥当な摩擦抵抗を提供するように選択され得る。オーバーモールド部分は、突起ノブ１３２ａ、ｂ又はハンドルアセンブリ１０２の残りの触覚識別又は区別に有用な識別触覚特徴部を有する突起を備えることができる。先述のように、突起ノブ１３２ａ、ｂのうちの１つは、ユーザが第１の突起ノブ１３２ａと第２の突起ノブ１３２ｂを区別することを可能にする粗い質感又は触覚表面を備えることができる。示された実施形態では、第１の突起ノブ１３２ａは、ユーザが第１の突起ノブ１３２ａ（ＭＡＸ）と第２の突起ノブ１３２ｂ（ＭＩＮ）を区別することを可能にするために、複数の触覚要素１３２ｃ、示された実施形態では例えば質感がある突起又は「隆起」を備える。
【００３８】
一実施形態では、トグルスイッチ１３２は、ユーザの手によって操作され得る。ユーザは、不注意又は意図的でない起動を常に回避しつつ、任意の時点で第１及び第２の突起ノブ１３２ａ、ｂに容易にアクセスすることができる。トグルスイッチ１３２は、超音波アセンブリ１１４及び／又は超音波アセンブリ１１４への電力を制御するために指で容易に操作され得る。例えば、人差し指を使用して、第１の接触部分１３２ａを起動し、超音波アセンブリ１１４をオンにして、最大（ＭＡＸ）電力レベルにすることができる。人差し指を使用して、第２の接触部分１３２ｂを起動し、超音波アセンブリ１１４をオンにして、最小（ＭＩＮ）電力レベルにすることができる。トグルスイッチ１３２は、ユーザが第１又は第２の突起ノブ１３２ａ、ｂを見なくても操作され得る。これは、ユーザが腹腔鏡的処置中、モニタ表示に完全に集中することを可能にする。したがって、第１の突起ノブ１３２ａ又は第２の突起ノブ１３２ｂは、見ずに第１と第２の突起ノブ１３２ａ、ｂを触覚的に区別するために、粗い質感又は突起を備えることができる。例えば、示された実施形態では、第１の突起ノブ１３２ａは、ユーザが第１の突起ノブ１３２ａ（ＭＡＸ）と第２の突起ノブ１３２ｂ（ＭＩＮ）を区別することを可能にするために、複数の触覚要素１３２ｃを備える。他の触覚質感又は要素は、第１又は第２の突起ノブ１３２ａ、ｂの間の区別の目的で、第１又は第２の突起ノブ１３２ａ、ｂのいずれかの上に形成され得る。ユーザは、トグルスイッチ１３２を操作するためにグリップを再配置しなくてもよく、エンドエフェクタ１１２の顎部を開く間に電力レベルを容易に制御することができる。
【００３９】
一実施形態では、遠位回転アセンブリ１０６は、長手方向軸「Ｔ」（図１３）の周りのいずれの方向にも制限なく回転可能である。遠位回転アセンブリ１０６は、細長内視鏡シャフトアセンブリ１１０に機械的に係合される。遠位回転アセンブリ１０６は、ハンドルアセンブリ１０２の遠位端上に配置される。遠位回転アセンブリ１０６は、円筒形のハブ１３３と、ハブ１３３を覆うように形成される回転ノブ１３４とを備える。ハブ１３３は、細長内視鏡シャフトアセンブリ１１０に機械的に係合する。回転ノブ１３４は、縦溝付きの高分子特徴部を含むことができ、細長内視鏡シャフトアセンブリ１１０を回転させるために、指（例えば、人差し指）によって係合され得る。ハブ１３３は、回転ノブ１３４を形成するために、主要な構造体を覆うように成型される材料を備えることができる。回転ノブ１３４は、ハブ１３３を覆うようにオーバーモールドされ得る。ハブ１３３は、遠位端で露出される端部キャップ部分１３３ａを備える。ハブ１３３の端部キャップ部分１３３ａは、腹腔鏡的処置中にトロカールの表面に接触することができる。ハブ１３３は、端部キャップ部分１３３ａとトロカールとの間に生じ得るいかなる摩擦も軽減するために、ポリカーボネートなどの耐久性硬質プラスチックで形成され得る。回転ノブ１３４は、より正確な回転グリップを提供するために、隆起リブ１３４ａと、リブ１３４ａの間に配置される凹部分１３４ｂで形成される「扇形」又は縦溝を備えることができる。一実施形態では、回転ノブ１３４は、複数の縦溝（例えば、３つ又はそれ以上の縦溝）を備えることができる。他の実施形態では、任意の好適な数の縦溝が使用され得る。回転ノブ１３４は、硬質プラスチック材料上にオーバーモールドされる、より柔らかい高分子材料で形成され得る。例えば、回転ノブ１３４は、例えば、ＧＬＳ社（GLSCorporation）によって作製されるバーサフレックス（Versaflex）（登録商標）ＴＰＥ合金を含む柔軟な弾性可撓性高分子材料で形成され得る。このより柔らかいオーバーモールド材料は、より大きなグリップ及び回転ノブ１３４の動作のより正確な制御を提供することができる。滅菌に対する妥当な抵抗を提供し、生体適合性であり、外科用手袋に対する妥当な摩擦抵抗を提供する任意の材料は、回転ノブ１３４を形成するために使用され得る。
【００４０】
一実施形態では、ハンドルアセンブリ１０２は、ユーザが超音波外科用器具１００の多面的機能及び制御に容易にアクセスし、操作することを可能にする人間工学的特徴を有するように構成され得る。したがって、指を使用して、ハンドルアセンブリ１０２の遠位部分に配置される遠位回転ノブ１３４を操作することができる。回転ノブ１３４は、ハブ１３３によって超音波伝達導波管シャフトの細長内視鏡シャフトアセンブリ１１０に連結される。そのため、指を使用して、回転ノブ１３４を回転させることによって超音波伝達導波管細長内視鏡シャフトアセンブリ１１０を回転させることができる。トグルスイッチ１３２のＭＩＮ／ＭＡＸ電源ボタンは、器具１００のハンドルアセンブリ１２２の遠位端上に好適に配置され、それにより、それらは、例えば、人差し指で操作され得る。したがって、人差し指を使用して、細長内視鏡シャフトアセンブリ１１０のシャフトを回転させ、エンドエフェクタアセンブリ１１２のクランピング機構の顎部を所望の位置に配向させ、好適な電力レベルに超音波変換器１１４を起動することができる。
【００４１】
図３は、ハンドルアセンブリ１０２、遠位回転アセンブリ１０６、細長内視鏡シャフトアセンブリ１１０、及びエンドエフェクタアセンブリ１１２を示す、超音波外科用器具１００の一実施形態の左斜視図である。図３〜９を参照すると、示された実施形態では、細長内視鏡シャフトアセンブリ１１０は、エンドエフェクタアセンブリ１１２を機械的に係合する大きさである遠位端１３８と、ハンドルアセンブリ１０２及び遠位回転アセンブリ１０６を機械的に係合する近位端１３６とを備える。細長内視鏡シャフトアセンブリ１１０の近位端１３６は、ハンドルアセンブリ１０２及び遠位回転アセンブリ１０６内で受容される。細長内視鏡シャフトアセンブリ１１０と、ハンドルアセンブリ１０２と、遠位回転アセンブリ１０６との間の接続に関するより詳細は、図１４及び２４の説明において提供される。
【００４２】
一実施形態では、ハンドルアセンブリ１０２は、第１の部分１０２ａと、第２の部分１０２ｂとを備える２つのハウジング部分又は側板から形成される。遠位端から近位端へハンドルアセンブリ１０２を見るユーザの視点から、第１の部分１０２ａは、右部分と見なされ、第２の部分１０２ｂは、左部分と見なされる。第１及び第２の部分１０２ａ、ｂのそれぞれは、ハンドルアセンブリ１０２を形成するために互いに機械的に整合させ、係合する大きさであり、その内部機能構成要素を包囲する複数の境界面１５８（図１４）を含む。ハンドルアセンブリ１０２と一体的に関連する固定ハンドル１２２は、ハンドルアセンブリ１０２の第１及び第２の部分１０２ａ及び１０２ｂのアセンブリ上で形になる。複数の追加的な境界面（図示せず）は、例えば、エネルギー方向／偏向点の超音波溶接の目的で、ハンドルアセンブリ１０２の第１及び第２の部分１０２ａ及び１０２ｂの周囲の様々な点で配置され得る。第１及び第２の部分１０２ａ及び１０２ｂ（並びに以下に記載される他の構成要素）は、当該技術分野において既知の任意の方法で、合わせて組み立てられ得る。例えば、整合ピン、スナップ様境界面、舌及び溝境界面、係止タブ、接着ポートは、すべて、組立目的で、単独で、又は組み合わせてかのいずれかで利用され得る。
【００４３】
一実施形態では、細長内視鏡シャフトアセンブリ１１０は、ハンドルアセンブリ１０２及び遠位回転アセンブリ１０６を機械的に係合するように適合される近位端１３６と、エンドエフェクタアセンブリ１１２を機械的に係合するように適合される遠位端１３８とを備える。細長内視鏡シャフトアセンブリ１１０は、外部管状シース１４２と、外部管状シース１４２内に配置される往復管状作動部材１４４とを備える。管状往復管状作動部材１４４の近位端は、トリガ１２０の作動及び／又は解放に応答して方向１４６Ａ又は１４６Ｂのいずれかの方向に移動するように、ハンドルアセンブリ１０２のトリガ１２０に機械的に係合される。旋回可能に移動可能なトリガ１２０は、エンドエフェクタアセンブリ１１２の顎部又はクランピング機構を作動させるために使用され得る。一連の連鎖は、トリガ１２０の枢動回転を、作動機構に連結するヨークの軸動作に変換し、それは、エンドエフェクタアセンブリ１１２のクランピング機構の顎部の開閉を制御する。管状往復管状作動部材１４４の遠位端は、エンドエフェクタアセンブリ１１２に機械的に係合される。示された実施形態では、管状往復管状作動部材１４４の遠位端は、トリガ１２０の作動及び／又は解放に応答してクランプアームアセンブリ１５０を開閉するために、旋回点１５４の周りで旋回可能であるクランプアームアセンブリ１５０に機械的に係合される。例えば、示された実施形態では、クランプアームアセンブリ１５０は、トリガ１２０が方向１２１Ａに圧迫されるとき、旋回点１５４の周りを、開いた位置から閉じた位置まで方向１４８Ａに移動可能である。クランプアームアセンブリ１５０は、トリガ１２０が方向１２１Ｂへ解放されるか、又は外向きに接触されるとき、旋回点１５４の周りを、閉じた位置から開いた位置まで方向１４８Ｂに移動可能である。
【００４４】
一実施形態では、エンドエフェクタアセンブリ１１２は、細長内視鏡シャフトアセンブリ１１０の遠位端１３８に取り付けられ、クランプアームアセンブリ１５０と、ブレード１５２とを含む。エンドエフェクタアセンブリ１１２のクランピング機構の顎部は、クランプアームアセンブリ１５０及びブレード１５２によって形成される。ブレード１５２は、超音波始動式であり、超音波変換器１１４に音響的に連結される。ハンドルアセンブリ１０２上のトリガ１２０は、クランプアームアセンブリ１５０の動作に影響するように機械的に合わせて連携する駆動アセンブリに最終的に接続される。トリガ１２０を方向１２１Ａへ圧迫することは、開いた位置からクランプアームアセンブリ１５０を方向１４８Ａに移動させ、クランプアームアセンブリ１５０及びブレード１５２は、互いに対して離間した関係において、クランプしたか、又は閉じた位置へ配置され、クランプアームアセンブリ１５０及びブレード１５２は、その間の組織を握るように連携する。クランプアームアセンブリ１５０は、ブレード１５２とクランプアーム１５０との間の組織に係合するクランプパッド１５８を備えることができる。トリガ１２０を方向１２１Ｂに解放することは、クランプアームアセンブリ１５０を、閉じた関係から開いた位置へ方向１４８Ｂに移動させ、クランプアームアセンブリ１５０及びブレード１５２は、互いに対して離間した関係に配置される。
【００４５】
ハンドルアセンブリ１０２の近位部分は、超音波アセンブリ１１４の遠位端を受容するための近位開口部１５６を備える。超音波アセンブリ１１４は、近位開口部１５６に挿入され、細長内視鏡シャフトアセンブリ１１０に機械的に係合される。
【００４６】
一実施形態では、トリガ１２０の細長トリガフック１２４部分は、より短い全長及び回転運動を有する、より長いトリガレバーを提供する。細長トリガフック１２４のより長いレバーは、ユーザが開口１２６内で複数の指を使用して、細長トリガフック１２４を操作し、トリガ１２０を方向１２１Ｂに旋回させて、エンドエフェクタアセンブリ１１２の顎部を開くことを可能にする。例えば、ユーザは、３本の指（例えば、中指、薬指、及び小指）を開口１２６に挿入することができる。複数の指は、外科医が、エンドエフェクタアセンブリ１１２を起動させるために、トリガ１２０及び細長トリガフック１２４上により高いインプット力を働かせることを可能にする。より短い全長及び回転運動は、トリガ１２０を方向１２１Ａに閉じるか、若しくは圧迫するときか、又はトリガ１２０を方向１２１Ｂの外向きの開口運動に開くとき、より快適なグリップをもたらし、指を更に外向きに伸展させる必要が少なくなる。これは、方向１２１Ｂへのトリガ１２０の外向きの開口運動に関連する手の疲労及び緊張を実質的に少なくする。トリガの外向きの開口運動は、バネ要素１８２（図１４）によって、バネの補助を受け、疲労を軽減することを助ける。開くバネの力は、開くことの容易性を支援するために十分であるが、切開を広げる間の組織間緊張の触覚的な反応に悪影響を与えるほど強くない。
【００４７】
例えば、外科的処置中、いずれかの人差し指を使用して、細長内視鏡シャフトアセンブリ１１０の回転を制御し、エンドエフェクタアセンブリ１１２の顎部を好適な向きで配置することができる。中指及び／又は他の、より低い指（the other lower fingers）を使用して、トリガ１２０を圧迫し、顎部内の組織を握ることができる。顎部が所望の位置に配置され、顎部が組織に対してクランプされると、人差し指を使用して、トグルスイッチ１３２を起動し、超音波変換器１１４の電力レベルを調整し、組織を治療することができる。組織が治療されると、次いで、ユーザは、中指及び／又はより低い指で細長トリガフック１２４を遠位方向に外向きに押すことによってトリガ１２０を解放し、エンドエフェクタアセンブリ１１２の顎部を開くことができる。この基本的方法は、ユーザがハンドルアセンブリ１０２のグリップを調整することなく行うことができる。
【００４８】
図１０〜１２は、エンドエフェクタアセンブリ１１２に対する細長内視鏡シャフトアセンブリ１１０の接続を示す。前述の通り、示された実施形態では、エンドエフェクタアセンブリ１１２は、クランピング機構の顎部を形成する、クランプアームアセンブリ１５０と、ブレード１５２とを備える。ブレード１５２は、超音波変換器１１４に音響的に連結される超音波始動式のブレードであり得る。トリガ１２０は、駆動アセンブリに機械的に接続される。合わせて、トリガ１２０及び駆動アセンブリは、開いた位置にクランプアームアセンブリ１５０を方向１４８Ｂへ移動させるように機械的に連携し、クランプアームアセンブリ１５０及びブレード１５２は、互いに対して離間した関係において、クランプした、又は閉じた位置へ方向１４８Ａで配置され、クランプアームアセンブリ１５０及びブレード１５２は、協働してその間の組織を握る。クランプアームアセンブリ１５０は、ブレード１５２とクランプアーム１５０との間の組織に係合するクランプパッド１５８を備えることができる。管状往復管状作動部材１４４の遠位端は、エンドエフェクタアセンブリ１１２に機械的に係合される。示された実施形態では、管状往復管状作動部材１４４の遠位端は、トリガ１２０の作動及び／又は解放に応答してクランプアームアセンブリ１５０を開閉するために、旋回点１５４の周りで旋回可能であるクランプアームアセンブリ１５０に機械的に係合される。例えば、示された実施形態では、クランプアームアセンブリ１５０は、トリガ１２０が方向１２１Ａに圧迫されるとき、旋回点１５４の周りを、開いた位置から閉じた位置に方向１４８Ａに移動可能である。クランプアームアセンブリ１５０は、トリガ１２０が方向１２１Ｂに解放されるか、又は外向きに接触されるとき、旋回点１５４の周りを、閉じた位置から開いた位置に方向１４８Ｂに移動可能である。
【００４９】
図１３は、中心長手方向軸「Ｔ」を示す、図３に示される超音波外科用器具の一実施形態の左斜視図である。
【００５０】
図１４は、図３に示される超音波外科用器具１００の分解図である。示された実施形態では、分解図は、ハンドルアセンブリ１０２の内部要素、ハンドルアセンブリ１０２、遠位回転アセンブリ１０６、スイッチアセンブリ１０８、及び細長内視鏡シャフトアセンブリ１１０を示す。ここで図１４〜２４を参照すると、示された実施形態では、第１及び第２の部分１０２ａ、ｂは、ハンドルアセンブリ１０２を形成するために結合する。第１及び第２の部分１０２ａ、ｂは、それぞれ、ハンドルアセンブリ１０２を形成するために互いに機械的に整合し、係合し、超音波外科用器具１００の内部機能構成要素を包囲する大きさである複数の境界面１５８を備える。回転ノブ１３４は、外部管状シース１４２に機械的に係合し、それにより、それは、３６０度まで円方向１４０に回転することができる。外部管状シース１４２は、複数の連結要素１６０を介してハンドルアセンブリ１０２に機械的に係合し、その中で保持される往復管状作動部材１４４を覆うように配置される。連結要素１６０は、Ｏ字リング１６０ａと、管カラーキャップ１６０ｂと、遠位ワッシャ１６０ｃと、近位ワッシャ１６０ｄと、ねじ山管カラー１６０ｅとを備えることができる。往復管状作動部材１４４は、ハンドルアセンブリ１０２の第１と第２の部分１０２ａ、ｂとの間に保持される往復ヨーク１７０内に配置される。ヨーク１７０は、往復ヨークアセンブリ１７３の一部である。一連の連鎖は、細長トリガフック１２０の枢動回転を、往復ヨーク１７０の軸動作に変換し、それは、超音波外科用器具１００の遠位端にあるエンドエフェクタアセンブリ１１２のクランピング機構の顎部の開閉を制御する。一実施形態では、４リンク設計は、例えば、比較的短い回転長さにおける機械利得を提供する。
【００５１】
一実施形態では、超音波伝達導波管１６４は、往復管状作動部材１４４の内側に配置される。超音波伝達導波管１６４の遠位端１３８は、ブレード１５２に音響的に連結され、超音波伝達導波管１６４の近位端１３６は、ハンドルアセンブリ１０２内に受容される。超音波伝達導波管１６４の近位端１３６は、以下で詳述されるように、超音波変換器１１４の遠位端に音響的に連結するように適合される。超音波伝達導波管１６４は、保護シース１６６及びシリコーンリングなどの複数の単離要素１６８によって、細長内視鏡シャフトアセンブリ１１０の他の要素から単離される。外部管状シース１４２、往復管状作動部材１４４、及び超音波伝達導波管１６４は、ピン１６２によって機械的に係合される。スイッチアセンブリ１０８は、トグルスイッチ１３２と、第１又は第２の突起ノブ１３２ａ、ｂの起動に従って超音波変換器１１４を通電させる電気要素１７２ａ、ｂとを備える。
【００５２】
一実施形態では、外部管状シース１４２は、ユーザ又は患者を超音波伝達導波管１６４の超音波振動から単離する。外部管状シース１４２は、一般的に、ハブ１６３を含む。外部管状シース１４２は、ハンドルアセンブリ１０２の遠位端上に螺入される。超音波伝達導波管１６４は、外部管状シース１４２の開口部を通って延在し、単離要素１６８は、超音波伝達導波管１０４を外部管状シース１４２から単離する。外部管状シース１４２は、ピン１６２で波管１６４に取り付けられ得る。波管１６４においてピン１６２を受容するための穴は、名目上は変位節で生じ得る。波管１６４は、スタッド２２６（図２７）によってハンドピースハンドルアセンブリ１０２にねじ込むか、又は嵌め込むことができる。ハブ１６３上の平坦部分は、アセンブリが必要なレベルまで捻られることを可能にすることができる。
【００５３】
一実施形態では、外部管状シース１４２のハブ１６３部分は、好ましくは、プラスチックから構築され、外部管状シース１４２の管状細長部分は、ステンレス鋼から作られる。あるいは、超音波伝達導波管１６４は、それを外側の接触から単離するために、それを取り囲む高分子材料を備えることができる。
【００５４】
一実施形態では、超音波伝達導波管１６４の遠位端は、好ましくは腹で、又はその付近で、内部ねじ込み接続によって、ブレード１５２の近位端に連結され得る。ブレード１５２は、溶接継手などの任意の好適な手段によって、超音波伝達導波管１６４に取り付けられ得ることが想到される。ブレード１５２は、超音波伝達導波管１６４から取り外し可能であり得るが、単一要素エンドエフェクタ（例えば、ブレード１５２）及び超音波伝達導波管１６４は、単一の一体型ピースとして形成され得ることも想到される。
【００５５】
一実施形態では、トリガ１２０は、方向１２１Ａ及び１２１Ｂのトリガ１２０の回転運動を、対応する方向１４６Ａ及び１４６Ｂの往復管状作動部材１４４の直線運動に変換するために、連鎖機構に連結される。トリガ１２０は、第１のヨークピン１７６ａを受容するための、そこに形成される開口部を有する第１のセットのフランジ１８２を備える。第１のヨークピン１７６ａも、ヨーク１７０の遠位端に形成される１セットの開口部を通って配置される。トリガ１２０は、リンク１７６の第１の末端部１７６ａを受容するための、第２のセットのフランジ１８０も備える。トリガピン１７４は、リンク１７６及び第２のセットのフランジ１８０に形成される開口部に受容される。トリガピン１７４は、リンク１７６及び第２のセットのフランジ１８０に形成される開口部において受容され、トリガ１２０に対するトリガ旋回点１９０（図２５、２６）を形成するために、ハンドルアセンブリ１０２の第１及び第２の部分１０２ａ、ｂに連結するように適合される。リンク１７６の第２の末端部１７６ｂは、ヨーク１７０の近位端に形成されるスロット１８４に受容され、第２のヨークピン１７８ｂによってそこに保持される。トリガ１２０がトリガピン１７４によって形成される旋回点１９０の周りを枢動可能に回転する際、ヨークは、矢印１４６Ａ、Ｂによって示される方向へ、長手方向軸「Ｔ」に沿って水平に並進する。
【００５６】
図２５及び２６は、ハンドルアセンブリ１０２の一実施形態の様々なユーザーインターフェースの間の関係を示す。示された実施形態では、ユーザは、制御指を使用して、トグルスイッチ１３２の電源ボタンを起動し、回転ノブ１３４の回転を制御し、エンドエフェクタアセンブリ１１２の回転を正確に制御することができる。制御指は、人差し指であり得るが、実施形態は、この内容に限定されない。示されるように、制御指位置１８６ａは、遠位回転ノブ１３４を操作（例えば、回転させる）するために使用される。制御指位置１８６ａとサドル面１３０との間の距離は、「ｄ１」である。一実施形態では、例えば、ｄ１は、およそ８．０５ｃｍ（３．１７インチ）であり得る。固定ハンドル１２２に対するグリップを変化せずに、ユーザは、指を制御指位置１８６ｂに配置することによって第１の突起ノブ１３２ａを操作し、電力を第１のレベル（例えば、ＭＡＸ）に設定することもでき、指を制御指位置１８６ｃに配置することによって第２の突起ノブ１３２ｂを操作し、電力を第２のレベル（例えば、ＭＩＮ）に設定することもできる。制御指位置１８６ｂとサドル面１３０との間の距離は、「ｄ２」であり、制御指位置１８６ｃとサドル面１３０との間の距離は、「ｄ３」である。一実施形態では、例えば、ｄ２は、およそ６．４８ｃｍ（２．５５インチ）であり得、ｄ３は、およそ６．２５ｃｍ（２．４６インチ）であり得る。したがって、ユーザは、ハンドルアセンブリ１０２を再把持せずに、制御指を３つの制御指位置１８６ａ、１８６ｂ、及び１８６ｃに容易かつ簡単に配置し、それぞれの遠位回転ノブ１３４、第１の突起ノブ１３２ａ、及び第２の突起ノブ１３２ｂを操作することができる。回転及び電力制御のそれぞれは、互いに込み合わずに、制御指により簡単にアクセス可能であり、３つすべてのバランスの取れたアクセスをもたらす。
【００５７】
一実施形態では、ユーザのトリガ指は、トリガ１２０を操作するために、開口１２６内の第１の位置１８８ａに配置され得る。第１の位置１８８ａとサドル面１３０との間の距離は、「ｄ４」である。一実施形態では、例えば、ｄ４は、およそ５．３６ｃｍ（２．１１インチ）であり得る。トリガ指は、中指であり得る。示されるように、トリガ指は、トリガ１２０の成型弾性部分１２０ａと接触され得る。トリガ１２０が方向１２１Ａに圧迫される際、それは、図２６の透視図に示されるように、完全に開いた位置から完全に閉じた位置へ旋回点１９０の周りを旋回する。トリガ１２０が完全に開いた位置から完全に閉じた位置へ旋回点１９０の周りを旋回する際、トリガ指位置は、透視図で示されるトリガ指位置１８８ａからトリガ指位置１８８ｂへ移動する。
【００５８】
広がり角φ１〜φ３は、トリガ１２０が完全に開いた位置にあるトリガ指位置１８８ａと、制御要素上に配置される制御指との間で形成される角度として画定される。第１の角度φ１は、トリガ指位置１８８ａと、遠位回転ノブ１３４に接触している制御指位置１８６ａとの間で形成される角度として画定される。一実施形態では、例えば、φ１は、およそ４６度であり得る。第２の角度φ２は、トリガ指位置１８８ａと、第１の突起ノブ１３２ａに接触している制御指位置１８６ｂとの間で形成される角度として画定される。一実施形態では、例えば、φ２は、およそ３３度であり得る。第３の角度φ３は、トリガ指位置１８８ａと、突起ノブ１３２ｂに接触している制御指位置１８６ｃとの間で形成される角度として画定される。一実施形態では、角度φ３は、およそ２０度であり得、制御指位置１８８ａと軸Ｓとの間の角度φ４は、およそ１９度であり得る。アクセス広がりは、サドル面１３０と制御指位置１８６ａ、１８６ｂ、又は１８６ｃとの間の距離「ｄ」及び制御指位置とトリガ指位置との間の広がり角φの組み合わせである。距離ｄ１、ｄ２、及びｄ３、並びに広がり角φ１、φ２、及びφ３は、人間工学的目的に対して最適である。例えば、広がり角は、以下となるように選択され得る。
φ３＜φ２＜φ１、及び
ｄ３＜ｄ２＜ｄ１
【００５９】
広がり角φ１は、遠位回転ノブ１３４上の制御指位置１８６ａとトリガ指位置１８８ａとの間の広がりを表す。制御指位置１８６ａとトリガ指位置１８８ａとの間のアクセス広がり１９２ａは、３つのアクセス広がり１９２ａ、１９２ｂ、及び１９２ｃのうち一番大きい。遠位回転ノブ１３４の操作は、すべての他の制御のうちの最大指広がりを必要とする。更に、遠位回転ノブ１３４は、作動させるために、第１の突起ノブ１３２ａ又は第２の突起ノブ１３２ｂと異なる力ベクトル（例えば、下向きの）を必要とし、これは指に対してより少ない緊張を必要とする。遠位回転ノブ１３４は、透視図で示されるように完全に閉じた位置にあるとき、起動停止し、ロックアウトするように構成することができ、トリガ１２０はまた、「最悪の場合の」指広がり角φ１を軽減する。概して、遠位回転ノブ１３４と第１の突起ノブ１３２ａとの間の間隔１９６は、その間の込み合いを最小にし、より大きい指に対するアクセスの困難を最小にするように選択され得る。
【００６０】
広がり角φ２は、第１の突起ノブ１３２ａにある制御指位置１８６ｂとトリガ指位置１８８ａとの間の広がりを表す。制御指位置１８６ｂとトリガ指位置１８８ａとの間のアクセス広がり１９２ｂは、制御指位置１８６ｃとトリガ指位置１８８ａとの間のアクセス広がり１９２ｃよりわずかに大きく、第１の突起ノブ１３２ａにアクセスするために、第２の突起ノブ１３２ｂよりも大きい指広がりを必要とする。第１の突起ノブ１３２ａは、不注意な起動の任意の知覚リスクを最小にするために、第２の突起ノブ１３２ｂから十分に離れて配置される。加えて、第１の突起ノブ１３２ａは、込み合い及びより大きい指に対するアクセスの困難を最小にするために、遠位回転ノブ１３４から十分に離れて離間している。遠位回転ノブ１３４と第１の突起ノブ１３２ａとの間の間隔１９６は、これを、制御指位置１８６ａの届く範囲に遠位回転ノブ１３４を保つために最小にし、遠位回転ノブ１３４と第１の突起ノブ１３２ａとの間の込み合いを回避するために最大にするように選択され得る。
【００６１】
広がり角φ３は、第２の突起ノブ１３２ｂにある制御指位置１８６ｃとトリガ指位置１８８ａとの間の広がりを表す。制御指位置１８６ｃとトリガ指位置１８８ａとの間のアクセス広がり１９２ｃは、中指と制御指との間で必要とされる最も小さい広がりであり、したがって最小の指緊張を引き起こす。第２の突起ノブ１３２ｂへのアクセスは、すべての制御のうち最小の指広がりを必要とし、したがって最も容易に起動させる傾向がある。完全に開いた位置では、第２の突起ノブ１３２ｂは、トリガ１２０に対して込み合いすぎることなくできるだけ低く配置されるため、トリガ指の「交差」を回避する。第２の突起ノブ１３２ｂとトリガ１２０ａとの間の間隔１９４は、トリガ１２０が透視で示される完全に閉じた位置にあり、トリガ指が透視で示される位置１８８ｂにあるとき、第１の突起ノブ１３２ａに到達するために必要とされる指広がり角を最小にするように選択され得る。
【００６２】
一実施形態では、トリガ旋回軸１９０の位置は、それが実線で示される完全に開いた位置から透視で示される完全に閉じた位置へ旋回する際、特にそれが全長のそれぞれの末端部での相対的なトリガ指位置に関連する際、トリガ１２０の運動のアークを制御し、最適にするように選択され得る。理想的な運動アークは、指の自然の開口運動に関連するように閉鎖から開放へわずかに上向きの動きである。完全に閉じた位置は、制御にアクセスするために必要とされる指広がりの角度をわずかに増加させるが、トリガ１２０の自然の運動アークに対して許容可能なバランスを有する。トリガ１２０が完全に閉じた位置にあるとき、トリガ指位置１８８ｂは、様々な制御にアクセスするために必要とされる指広がり角φ（すなわち、中指と制御指との間に形成される角度φ）の角度をわずかに増加させる。しかしながら、増加は、トリガ１２０の自然の運動アークに許容可能なバランス内となるように最小にされる。
【００６３】
図２６は、ハンドルアセンブリ１０２の一実施形態の様々なユーザーインターフェースの間の関係を示す。示された実施形態では、ハンドルアセンブリ１０２は、４つの別々の軸を有するとして画定され得る。細長内視鏡シャフトアセンブリ１１０の長手方向軸、サドル面軸「Ｓ」、ユーザインプット軸「Ｕ」、ベース軸「Ｌ」と一致する長手方向軸「Ｔ」、トリガ１２０旋回点１９０、細長トリガフック１２４の中心点１９１、サドル面１３０、制御指位置１８６ａ、１８６ｂ、１８６ｃ、及びトリガ指位置１８８ａ、１８８ｂ。トリガフック１２４は、半径「ｒ１」及び中心点１９１によって画定される弓状部分を画定する。ハンドルアセンブリ１０２は、完全閉鎖でのトリガ１２０と固定ハンドル１２２との好適な間隔を提供する。第２の突起ノブ１３２ｂ（例えば、ＭＩＮボタン）及び細長トリガフック１２４の上部の間隔／輪郭は、トリガ１２０を開くとき、トリガ指を押し出し、同時に第２の突起ノブ１３２ｂを起動する。
【００６４】
一実施形態では、起動ユーザインプット力「ｆ１」は、第１の突起ノブ１３２ａ又は第２の突起ノブ１３２ｂを起動するために必要な力である。一実施形態では、力ｆ１は、およそ４００ｇ＋／−８０ｇである。起動ユーザインプット力ｆ１は、ユーザの疲労の最小化（あまり強すぎない）と不注意な起動のリスクの最小化（あまり軽すぎない）との間のバランスである。起動ユーザインプット力ｆ１は、第１の突起ノブ１３２ａを起動するためにＡ−Ｅベクトル（サドル面１３０から指位置１８６ｂへのベクトル）に沿って、第２の突起ノブ１３２ｂを起動するためにＡ−Ｆベクトル（サドル面１３０から指位置１８６ｃへのベクトル）へ沿って測定される。
【００６５】
一実施形態では、制御（例えば、人差し指）指「レスト領域」１９３は、第１の突起ノブ１３２ａと第２の突起ノブ１３２ｂ（例えば、ＭＩＮ／ＭＡＸボタン間隔）との間の空間として画定される。ユーザは、電源を作動させずに制御指で第１の突起ノブ１３２ａと第２の突起ノブ１３２ｂとの間のレスト領域１９３におよそ６．７Ｎ（１．５ｌｂｆ）までの力をかけることができる。
【００６６】
一実施形態では、第１の突起ノブ１３２ａ及び第２の突起ノブ１３２ｂは、ハンドアセンブリ１０２の内側中心面に対して両側へ０度〜３０度の方向圧力ベクトルで起動され得る。これは、手首が、より短い指で非常に難しい位置にあるとき、第１の突起ノブ１３２ａ及び第２の突起ノブ１３２ｂへのより良いアクセスを提供する。
【００６７】
一実施形態では、第２の突起ノブ１３２ｂと、細長トリガフック１２４によって画定される開口１２６内に配置される最も高い指（the highest finger）との間の中心線は、快適性を最大にし、２つの隣接する指の「交差」の感覚を最小にするために、およそ少なくとも１．６５１ｃｍ（０．６５０”）である。
【００６８】
一実施形態では、細長トリガフック１２４の開口１２６内の指空間距離は、指の閉じ込めを回避するために、およそ少なくとも１．６５１ｃｍ（０．６５０”）である。
【００６９】
一実施形態では、ユーザインプット軸（Ｕ）は、トリガ１２０上の中指と薬指の位置の直接間にある軸Ｕとして定められる。ユーザによってかけられるトリガ１２０閉力は、Ｕ−Ｘベクトル（開口１２６内の近位接触面１２８から第１の位置１８８ａのベクトル）に沿って測定される力ｆ２として定められる。一実施形態では、Ｕ−Ｘベクトルに沿って測定される、トリガ１２０を完全に閉じた位置へ閉じるために必要とされる力は、以下に基づき、およそ２．７９ｋｇ（６．１４ｌｂｓ）未満である。
６３．９ｋｇ（１４０．８ｌｂｓ）＝５％小柄な女性の最大フルハンドグリップ力
１８．５ｋｇ（４０．８ｌｂｓ）×０．３３＝６．１９ｋｇ（１３．６４ｌｂｓ）（快適なグリップ力で６７％低下）
６．１９ｋｇ（１３．６４ｌｂｓ）×０．６０＝３．７１ｋｇ（８．１８ｌｂｓ）（悪い姿勢で４０％低下）
３．７１ｋｇ（８．１８ｌｂｓ）×０．７５＝２．７９ｋｇ（６．１４ｌｂｓ）（フルグリップから人差し指を外した場合で２５％低下、相対的な指力：人差し指２５％、中指３５％、薬指２５％、小指１４％、情報源：ＮＣＢＩ  Ｐｕｂ  Ｍｅｄ、０７／０４）
【００７０】
一実施形態では、トリガ１２０誤用閉力は、トリガが、細長トリガフック１２４の遠位面に対して圧力をかけることによって閉じるときに生成される閉力として定義される。一実施形態では、トリガ１２０が耐えることができる無理のない誤用力は、実際の閉力生成のばらつきの上限が２．３ｋｇ（５ｌｂｓ）であることに基づき、およそ６．８０ｋｇ（１５．００ｌｂｓ）であり、ユーザが必要とされる力の３倍超を発揮することを予期することは稀である。
【００７１】
一実施形態では、トリガ１２０開力は、Ｕ−Ｘベクトルに沿って測定される、トリガ１２０を完全に開くためにユーザによって必要とされる力ｆ３として定められる。一実施形態では、力ｆ３は、およそ０．０＋２．２／−６．７Ｎ（０．０＋０．５／−１．５ｌｂｆ）である。一実施形態では、ハンドルアセンブリ１０２は、バネ要素１８２（図１４）などの、システムにおける摩擦を克服するために、バネを使って支援される開放のいくつかの手段を組み込む。一実施形態では、エンドエフェクタアセンブリ１１２の顎部は、最小限の力のみを必要として各自で完全に開くはずである。「自動の」完全開放は、相次いで複数の閉鎖「咬合」を適用するとき、使用の簡易性を好適に強化する。エンドエフェクタアセンブリ１１２の顎部が開くために必要とされる力を最小にすることは、例えば、切開を広げる間の触覚的反応を損失するリスクを低下させる（外科医は、バネではなく、掛けられている組織間緊張をできるだけ感じたい）。
【００７２】
一実施形態では、トリガ１２０の接触面の幅は、最大快適性を提供し、圧点を回避するために、ユーザインプット軸「Ｕ」で測定される、およそ１．９３４（０．７６０”）＋／−０．５０８ｃｍ（０．２００”）であり得る。
【００７３】
一実施形態では、細長トリガフック中心１９１から前フックループの末端部で測定される細長トリガフック１２４の長さは、トリガ１２０の外向きの開ストロークに対する２つの指接触を容易にするために、およそ２．７６９ｃｍ（１．０９０”）＋／−０．２０３（０．０８０”）であり得る。
【００７４】
一実施形態では、細長トリガフック中心１９１からトリガ１２０の最も低い末端部で測定されるトリガ１２０の長さは、閉ストロークに対する３つの指接触を容易にするために、およそ６．２９９ｃｍ（２．４８０”）＋／−０．２０３ｃｍ（０．０８０”）であるべきである。
【００７５】
一実施形態では、長手方向の重心は、絶縁ピンの位置によって画定される点で細長内視鏡シャフトアセンブリ１１０の基点の近位およそ０．７７８ｃｍ（０．７００”）＋／−０．３８１ｃｍ（０．１５０”）に配置され得る。装置の総重量は、ハンドルアセンブリが、張力緩和の近位終端でカットオフされるケーブル１１８を完全に組み立てる際に確定される。一実施形態では、重心は、制御及び安定性の最大感触のために、ユーザの手のひらの中心の近くで保たれ得る。
【００７６】
一実施形態では、固定ハンドル１２２の掌側面の長さは、Ａ〜Ｌ（サドル面１３０から固定ハンドル１２２のベース）で垂直に測定される、およそ７．３６６ｃｍ（２．９００”）＋／−０．３１８（０．１２５”）であり得る。この距離は、より大きい手の快適性及び安定性の大きさを最大にすること、及び患者（脚が上げられている場合に通常生じる）又は机とのハンドルアセンブリ１０２の潜在的干渉を最小にすることのバランスをとることによって決定され得る。
【００７７】
一実施形態では、掌側面の幅は、およそ０．８１３ｃｍ（１．３２０”）を超過しない。この距離は、閉圧力がトリガ１２０にかかるときのユーザの手のひらに対する快適性、より小さい手のための前制御への固定ハンドル１２２の裏の表面積の周りのアクセス、及びユーザの手における全体的「適合」を均衡させることによって決定され得る。固定ハンドル１２２の側面は、手のひらに自然に適合し、親指及び人差し指のグリップ位置に安定性を提供するように湾曲し、輪郭付けて形成され得る。
【００７８】
一実施形態では、Ｕ−Ｘ’から測定される完全に閉じたグリップ長さは、およそ４．０６４ｃｍ（１．６００”）より大きくてもよい。Ｕ−Ｘから測定される完全に開いたグリップ長さは、最大およそ５．８４２ｃｍ（２．３００”）未満であり得る。
【００７９】
一実施形態では、遠位回転ノブ１３４ユーザーインターフェースは、複数の縦溝設計を備えることができ、それぞれの縦溝１３４ａに対して、指接触半径は、およそ０．６３５ｃｍ（０．２５０”）＋／−０．１２７（０．０５０”）である。一実施形態では、縦溝１３４ａは、遠位回転ノブ１３４に対する把持能力を増加させるために、オーバーモールドされ得る。
【００８０】
一実施形態では、回転力は、遠位回転ノブ１３４がハンドルアセンブリ１１２に接続されるとき、ハンドルアセンブリ１１２の摩擦力として定義される。回転力は、およそ０．０２５〜０．０８８Ｎｍ（３．５〜１２．５ｉｎ−ｏｚ）のトルク抵抗を提供するべきである。この値は、コードの巻線によるシャフトの逆転を克服するための下限での好適な抵抗のバランスを取り、疲労を最小にするための上限でのユーザインプット力を最小にすることによって決定され得る。
【００８１】
一実施形態では、トリガ１２０表面の成型弾性部分１２０ａのオーバーモールドコンプライアンスは、触覚的反応を最大にするために、負荷トリガ運動における接触の任意の点でおよそ１．０１６ｃｍ（０．０４０”）未満であり得る。この値は、反復トリガ作動（特に外向きの指伸展）中の高いユーザ快適性を提供すること及び組織にかかっている力の触覚的反応を損失しないことのバランスをとることによって決定され得る。
【００８２】
一実施形態では、ハンドルアセンブリ１０２の全体構成は、本明細書における実施形態において記載され、示される最適な手のひら近位接触面１２８（Ｐ）を有する、ピストルグリップ設計に基づき得る。一実施形態では、近位接触面１２８の最適化は、特定されたグリップの角度ではなく、手のひらに自然に適当する有機曲線によって最も良く画定される接触面を含むことができる。この理想的な曲線は、最大グリップ快適性、制御、及び安定性を提供する。サドル面１３０を安定化尾部１３１の位置の直下に配置することは、親指と人差し指との間に画定される引っ込んだ場所又は水かきにおける制御及び安定性の更なる感覚を提供する。
【００８３】
図２６にも示すように、接触面１２８は、基準点ＲＰから測定される半径ＲＨを有することができる。基準点ＲＰは、軸Ｓからの第１の距離ＨＤ１及び点Ａからの第２の距離ＨＤ２に配置され得る。一実施形態では、例えば、半径ＲＨは、およそ７．５９ｃｍ（２．９９インチ）であり得、距離ＨＤ１は、およそ５．７７ｃｍ（２．２７インチ）であり得、距離ＨＤ２は、およそ５．５９ｃｍ（２．２０インチ）であり得る。また、様々な実施形態では、安定化尾部１３１は、およそ１．０２ｃｍ（０．４０インチ）の第１の半径部分ＲＴ、及びおよそ７．３９ｃｍ（２．９１インチ）であり得る第２の基準点ＲＰ２から測定される第２の半径ＲＴ２を有することができる。第２の基準点ＲＰ２は、およそ３．３３ｃｍ（１．３１インチ）であり得る点Ａからの距離ＴＬ、及びおよそ５．９２ｃｍ（２．３３インチ）であり得る軸Ｓからの距離ＴＬ２に配置され得る。
【００８４】
一実施形態では、ユーザの手のひら又は指に接触するハンドルアセンブリ１０２の端部は、材料が７０Ａ以下のジュロ硬度を有さない限り、およそ０．１０１ｃｍ（０．０４０”）の最小半径を有する。
【００８５】
図２７は、超音波外科用器具１００の一実施形態を示す。示された実施形態では、超音波変換器１１４の断面図をハンドルアセンブリ１０２の部分切り取り図内に示す。超音波外科用器具１００の一実施形態は、ハンドピースハウジング１９８を備える超音波変換器１１４に連結される超音波信号発生器１１６と、超音波始動式の単一又は複数要素エンドエフェクタアセンブリ１１２とを備える。先述のように、エンドエフェクタアセンブリ１１２は、超音波始動式のブレード１５２と、クランプアーム１５０とを備える。「ランジュヴァンスタック」として知られている超音波変換器１１４は、一般に、変換部２００と、第１の共振器部又はエンドベル２０２と、第２の共振器部又はフォアベル２０４と、補助部品とを含む。これらの構成要素の全構成体は共振器である。超音波変換器１１４は、好ましくは、後に詳述されるように、長さが２分の１システム波長の整数（ｎλ／２であり、「ｎ」は、任意の正の整数、例えば、ｎ＝１、２、３．．．である）である。音響アセンブリ２０６は、超音波変換器１１４と、ノーズコーン２０８と、速度変成器２１８と、表面２１０とを含む。
【００８６】
「近位」及び「遠位」という用語は、本明細書において、ハンドルアセンブリ１０２のハンドルアセンブリ１０２を把持する臨床医に関して使用されることが理解されるであろう。そのため、エンドエフェクタアセンブリ１１２は、ハンドルアセンブリ１０２のより近位のハンドルアセンブリ１０２に対して遠位にある。更に、便利かつ明瞭にするため、「頂部」及び「底部」などの空間的用語も、本明細書において、ハンドルアセンブリ１０２を把持する臨床医に関して使用されることも理解されるであろう。ただし、外科用器具は、多くの向き及び位置で使用され、これらの用語は、制限的又は絶対的であることを意図したものではない。
【００８７】
一実施形態では、エンドベル２０２の遠位端は、変換部２００の近位端に接続され、フォアベル２０４の近位端は、変換部２００の遠位端に接続される。フォアベル２０４及びエンドベル２０２は、変換部２００の厚さ、エンドベル２０２及びフォアベル２２を製造するのに使用される材料の密度及び弾性率、並びに超音波変換器１１４の共振周波数を含む、多数の変数によって決定される長さを有する。フォアベル２０４は、速度変成器２１８として超音波振動の振幅を増幅するため、その近位端からその遠位端まで内向きに先細にされ得るか、又は増幅を有さなくてもよい。好適な振動周波数範囲は、約２０Ｈｚ〜１２０ｋＨｚであり、より適切な振動周波数範囲は約３０〜１００ｋＨｚであってよい。好適な動作振動周波数は、例えばおよそ５５．５ｋＨｚであってよい。
【００８８】
一実施形態では、圧電素子２１２は、例えば、ジルコン酸チタン酸鉛、メタニオブ酸鉛、チタン酸鉛、チタン酸バリウム、又は他の圧電セラミック材料などの任意の好適な材料から作られ得る。正極２１４、負極２１６、及び圧電素子２１２の各々は、中心を通って延在する穴を有する。正極２１４及び負極２１６は、ワイヤ２２０及び２２２にそれぞれ電気的に連結されている。ワイヤ２２０及び２２２は、ケーブル１１８内に封入され、超音波信号発生器１１６に電気的に接続可能である。
【００８９】
音響アセンブリ２０６の超音波変換器１１４は、超音波信号発生器１１６からの電気信号を機械的エネルギーに変換し、それによって主として、超音波周波数における超音波変換器１１４及びエンドエフェクタアセンブリ１１２のブレード１５２部分の長手方向の振動運動の定常音波が得られる。別の実施形態では、超音波変換器の振動運動は異なる方向に作用してもよい。例えば、振動運動は、細長内視鏡シャフトアセンブリ１１０の先端のより複雑な運動の局所長手方向の構成要素を含むことができる。好適な発生器は、オハイオ州シンシナティ（Cincinnati）にあるエチコン・エンド−サージェリー社（Ethicon Endo-Surgery, Inc.,）から、モデル番号ＧＥＮ０４として入手可能である。音響アセンブリ２０６が通電されると、音響アセンブリ２０６を介して振動運動の定常波が発生する。超音波外科用器具１００は、共鳴で操作するように設計され、それにより、所定の振幅の音響定常波パターンが生み出される。音響アセンブリ２０６に沿った任意の時点での振動運動の振幅は、振動運動が測定される音響アセンブリ２０６に沿った位置に基づく。振動運動定常波における最小又はゼロ交差は、一般的に節（すなわち、運動が最小である）として称され、定常波における局所的最大絶対値又はピークは、一般的に、腹（すなわち、局所的運動は最大である）として称される。腹とその腹に最も近い節との間の距離は、４分の１波長（λ／４）である。
【００９０】
ワイヤ２２０及び２２２は、超音波信号発生器１１６から正電極２１４及び負電極２１６に電気信号を伝達する。圧電素子２１２は、例えば、音響アセンブリ２０６において音響定常波を生み出すためのフットスイッチなどのアクチュエータ２２４に応答して、超音波信号発生器１１６から供給される電気信号によって通電される。電気信号は、圧電素子２１２において、繰り返される小さな変位の形態の妨害を引き起こして、材料内に大きな交互の圧迫力と張力をもたらす。繰り返される小変位は、圧電素子２１２を連続的方法で電圧勾配の軸に沿って伸縮させ、超音波エネルギーの長手方向の波を生み出す。超音波エネルギーは、細長内視鏡シャフトアセンブリ１１０の伝達構成要素又は超音波伝達導波管部分１６４を介してエンドエフェクタアセンブリ１１２のブレード１５２部分へ音響アセンブリ２０６を通って伝達される。
【００９１】
一実施形態では、音響アセンブリ２０６がエネルギーをエンドエフェクタアセンブリ１１２のブレード１５２部分へ送達するために、音響アセンブリ２０６のすべての構成要素は、ブレード１５２に音響的に連結しなければならない。超音波変換器１１４の遠位端は、スタッド２２６などのねじ込み接続によって、表面２１０において超音波伝送導波路１６４の近位端に音響的に連結され得る。
【００９２】
一実施形態では、音響アセンブリ２０６の構成要素は、好ましくは音響的に調整され、それにより、任意のアセンブリの長さは、２分の１波長の整数（ｎλ／２）であり、波長λは、音響アセンブリ２０６の予め選択されたか、又は作動中の長手方向振動駆動周波数ｆｄの波長である。音響アセンブリ２０６は、音響要素の任意の好適な配列を組み込むことができることも想到される。
【００９３】
一実施形態では、ブレード１５２は、２分の１システム波長（ｎλ／２）の整数倍と実質的に等しい長さを有することができる。ブレード１５２の遠位端は、遠位端の最大長手方向の振動幅を提供するために、腹付近に配置され得る。変換器アセンブリが通電されると、ブレード１５２の遠位端は、例えば、およそ１０〜５００マイクロメートルのピークからピークまでの範囲内で、好ましくは、例えば、５５ｋＨｚの所定の振動周波数において、約３０〜１５０マイクロメートルの範囲内で移動するように構成され得る。
【００９４】
一実施形態では、ブレード１５２は、超音波伝達導波管１６４に連結され得る。示されるように、ブレード１５２及び超音波伝達導波管１６４は、超音波エネルギーの伝達のために好適な材料からの単一ユニット構成として形成される。こうした材料の例には、Ｔｉ６Ａｌ４Ｖ（アルミニウム及びバナジウムを含むチタンの合金）、アルミニウム、ステンレス鋼、又は他の好適な材料が挙げられる。あるいは、ブレード１５２は、超音波伝送導波路１６４から分離可能（かつ異なる組成のもの）であって、例えば、スタッド、溶接、接着剤、急速接続、又は他の好適な既知の方法によって連結され得る。超音波伝達導波管１６４の長さは、例えば２分の１波長の整数（ｎλ／２）に実質的に等しくてよい。超音波伝達導波管１６４は、例えば上述のチタン合金（すなわち、Ｔｉ６Ａｌ４Ｖ）若しくは任意の好適なアルミニウム合金、又は他の合金など、超音波エネルギーを効率的に伝播するのに好適な材料から構築された中実コアシャフトから好ましくは作られてもよい。
【００９５】
一実施形態では、超音波伝達導波管１６４は、スタッド２２６などのねじ込み接続によって、超音波伝達導波管１６４の表面２１０に連結するために、近位端にある長手方向に突起する取り付け支柱を備える。超音波伝達導波管１６４は、複数の節に位置付けられる、複数の安定用のシリコーンリング又は適合する支持体１６８（図１４）を含むことができる。シリコーンリング１６８は、望ましくない振動を緩衝し、超音波エネルギーを外側保護シース１６６（図１４）から分離して、最大効率でブレード１５２の遠位端への長手方向の超音波エネルギーのフローを確実にする。
【００９６】
様々な実施形態では、回転ノブは、超音波外科用器具ハウジングの近位端に配置され得る。近位回転ノブは、親指又は指で容易にアクセスされ得、遠位に配置された回転ノブに関連し得る任意の障害又は「到達」の問題を実質的に減少させる。近位回転ノブを備える超音波外科用器具のいくつかの実施形態は、図２８〜３２を参照して記載される。
【００９７】
図２８は、近位回転ノブ２３８を備える超音波外科用器具２３０の一実施形態の右側面図である。示された実施形態では、近位回転ノブ２３８は、ハンドルアセンブリ１０２の近位端に配置され得る。近位回転ノブ２３８は、親指又は指で容易にアクセスされ得、遠位に配置された回転ノブに関連し得る任意の障害又は「到達」の問題を実質的に減少させる。超音波外科用器具２３０は、内視鏡的又は伝統的な観血的外科的処置を含む様々な外科的処置において使用され得る。超音波外科用器具２３０は、ハンドルアセンブリ１０２と、ハンドルアセンブリ２３２と、近位回転アセンブリ２３４と、スイッチアセンブリ２３６と、細長内視鏡シャフトアセンブリ１１０と、血管及び／又は組織を手動で握り、切断し、凝固するための要素を備えるエンドエフェクタアセンブリ１１２とを備える。近位回転アセンブリ２３４は、超音波変換器１１４ハウジングを機械的に係合する近位回転ノブ２３８を備える。超音波外科用器具２３０は、細長内視鏡シャフトアセンブリ１１０及びエンドエフェクタアセンブリ１１２の部分に機械的に係合される超音波変換器１１４を受容するように適合される。超音波変換器１１４は、ケーブル１１８を介して発生器１１６に電気的に連結される。作図のほとんどが、内視鏡的外科的処置に関連する使用のための複数のエンドエフェクタアセンブリ１１２を描写するが、超音波装置は、より伝統的な観血的外科的処置において使用され得る。本明細書における目的のために、超音波外科用器具１００は、内視鏡器具に関して記載されるが、開いた型の超音波外科用器具２３０も、本明細書において記載されるものと同じか、又は同様の操作構成要素及び特徴部を含むことができることが想定される。
【００９８】
一実施形態では、ハンドルアセンブリ２３２は、前述の、トリガ２４６と、固定ハンドル１２２とを備える。固定ハンドル１２２は、ハンドルアセンブリ１０２と一体的に関連し、トリガ２４６は、超音波外科用器具２３０の操作に関して以下に詳述されるように、固定ハンドル１２２に対して移動可能である。固定ハンドル１２２及びトリガ２４６は、ユーザと快適に連動する。トリガ２４６は、ユーザがトリガ２４６に対して圧迫力をかけるとき、固定ハンドル１２２に向かい、方向１２１Ａに移動する。バネ要素１８２（図１４）は、ユーザがトリガ２４６に対する圧迫力を解放するとき、トリガ２４６を方向１２１Ｂに移動させる。トリガ２４６は、細長トリガフック２４４を備え、それは、細長トリガフック２４４と固定ハンドル１２２との間の開口２４８を画定する。開口２４８は、ユーザの１つ又は複数の指を、その開口を通して受容するために好適な寸法である。トリガ２４６はまた、トリガ２４６の部分を覆うように成型され得る接触部分（図示せず）も備えることができる。オーバーモールド接触部分は、方向１２１Ｂのトリガ２４６の外向きの制御のためのより快適な接触面を提供する。一実施形態では、オーバーモールド接触部分は、細長トリガフック２４４の一部分を覆うように提供され得る。例えば、オーバーモールド接触部分は、クッションを、それがユーザによって必要とされる場所に提供するために、細長トリガフック２４４の内側部分の遠位及び上面を覆うように提供され得る。細長トリガフック２４４の近位面は、指が開口２４８の内外により容易にスライドすることを可能にするために、被覆されていなく、裸基質（例えば、ポリカーボネート）のままである。他の実施形態では、細長トリガフック２４４は、例えば、バーサフレックス社（VersaFlex, Inc.）によって作製されるポリ尿素エラストマーなどの柔軟な弾性可撓性高分子材料を含むオーバーモールド接触面を組み込むことができる。細長トリガフック２４４は、追加的な快適性又はより安定したグリップをユーザに提供するために、オーバーモールド接触面部分を組み込むことができる。細長トリガフック２４４の上部分上にあるオーバーモールド接触面部分は、ユーザの指が開口２４８に入る際、ユーザの指上の端圧点を軽減する。固定ハンドル１２２は、図１〜２５を参照して先述されるように近位接触面１２８及びグリップアンカー又はサドル面１３０を備える。
【００９９】
使用する際、近位回転ノブ２３８は、ユーザが細長内視鏡シャフトアセンブリ１１０を回転させ、エンドエフェクタアセンブリ１１２のクランピング機構の顎部を制御し、ロッカースイッチ１３２を起動することを同時に可能にし、経験のあるユーザに対して装置の新しい使用法をもたらす。
【０１００】
図２９は、図２８に示される超音波外科用器具２３０の一実施形態の拡大右斜視図である。示された実施形態では、近位回転アセンブリ２３４は、例えば、ＧＬＳ社（GLS Corporation）によって作製されるバーサフレックス（Versaflex）（登録商標）ＴＰＥ合金を含む柔軟な弾性可撓性高分子材料で形成される回転ノブ２３８又はリングを備える。一実施形態では、近位回転ノブ２３８は、ハンドルアセンブリ１０２の近位部分上に配置され得る。ユーザは、親指又は人差し指のいずれかで近位回転ノブ２３８を操作することができる。親指を使用することは、人差し指を解放して、ハンドルアセンブリ１０２の遠位端上に配置されるトグルスイッチ２５２により容易、かつ有効にアクセスする。近位回転ノブ２３８は、複数の要素において構築され得る。一要素は、例えば、エラストマー材料、サントプレーン（Santoprene）（登録商標）として周知の熱可塑性ゴム、他の熱可塑性加硫物（ＴＰＶ）、又はエラストマーで形成される弾性層でオーバーモールドされるシリコン処理をしたポリカーボネート構成要素を含むことができる。エラストマー層は、近位回転ノブ２３８の外縁部にユーザのための安定したグリップを提供し、また、超音波変換器１１４の外部ハウジングをしっかりと把持する「グリッパ」リブを形成するために、内側ポリカーボネートリング（図示せず）を通って突出する。したがって、近位回転ノブ２３８は、超音波変換器１１４をしっかりと把持する。超音波変換器１１４は、細長内視鏡シャフトアセンブリ１１０にしっかりと機械的に係合され、それにより、細長内視鏡シャフトアセンブリ１１０全体は、近位ノブ２３８が回転するときに回転することができる。近位回転ノブ２３８を備える近位回転アセンブリ２３４は、より良い制御及び使用の容易性のためのよりスムーズで容易な回転を提供する。近位回転ノブ２３８は、任意の潜在的な「ガタ音」を低下されるために、超音波変換器１１４の前に配置されうる内部機構を安定させる。近位回転ノブ２３８は、超音波変換器１１４のハウジングに機械的に係合するように構成され、それにより、近位回転ノブ２３８の回転は、超音波変換器１１４及び細長内視鏡シャフトアセンブリ１１０の同じ方向２５０への回転を引き起こす。近位回転ノブ２３８は、複数の縦溝２４０又はリブを備える。これらの縦溝２４０は、回転ノブ２３８を回転させるために、指によって係合され得る。近位回転ノブ２３８は、より正確な回転グリップを提供するために、縦溝２４０で形成される「扇形」又は縦溝を備えることができる。一実施形態では、近位回転ノブ２３８は、６つの縦溝を備えることができる。他の実施形態では、任意の好適な数の縦溝が使用され得る。近位回転ノブ２３８は、硬質プラスチック材料上にオーバーモールドされるより柔らかい高分子材料で形成され得る。
【０１０１】
超音波変換器１１４は、超音波変換器１１４の遠位端が、例えば、スタッド２２６（図２７）によって超音波伝達導波管１６４にねじ込むか、又はその上に嵌め込むまで、近位回転ノブ２３８を通って挿入され得る。近位回転ノブ２３８のエラストマーグリッパリブは、エラストマーグリッパリブと、超音波変換器１１４の外径との間での挿入の間にぴったりとした適合を提供する。しかしながら、グリッパグリップは、構成要素を組み立てる際に困難を生じるほどきつ過ぎない。超音波変換器１１４が、近位開口部１５６内でハンドル１０２の雌部分に螺入されるとき、近位回転ノブ２３８は、超音波変換器１１４とともに自由に回転されることができ、また、最後のねじ山が超音波変換器１１４を細長内視鏡シャフトアセンブリ１１０へ引き進める際、超音波変換器１１４の外表面に沿って長手方向軸Ａに沿って長手方向に自由にスライドすることができる。超音波変換器１１４が、トルクレンチで完全に組み立てられる後、近位回転ノブ２３８は、自由に回転できるままであり、超音波変換器１１４を把持し、それによって、細長内視鏡シャフトアセンブリ１１０全体を回転させる。グリッパリブは、例えば、アセンブリ、又はユーザの手袋が濡れている手術条件下でも回転を促進するために十分に超音波変換器１１４の外表面を固定する。
【０１０２】
一実施形態では、スイッチアセンブリ２３６は、ＭＩＮ／ＭＡＸロッカー式又は「トグル」式スイッチ２５２として実践され得る。１つの位置では、ＭＩＮ／ＭＡＸロッカー式スイッチ（又は「トグル」式）ボタンは、ハンドグリップの最小の（又はほとんど無い）再配置を伴う、電源起動のための容易にアクセス可能な位置をもたらし、制御を維持し、注意を手術部位（例えば、腹腔鏡的処置におけるモニタ）に集中させるために好適にする。スイッチアセンブリ２３６は、部分的にハンドルアセンブリ１０２内に配置されるトグルスイッチ２５２を備える。スイッチアセンブリ２３６は、同時起動の可能性を排除するために、ハンドルアセンブリ１０２の内側に配置される中心旋回軸を有する単一構成要素として実践されるロッカースイッチ２５２を備える。ロッカースイッチ２５２は、様々な指の長さによって容易にアクセス可能であるように、固定ハンドル１２２の側面をわずかに包み込むことができる。トグルスイッチ２５２は、超音波変換器１１４の起動を制御するために発生器１１６に連結される。トグルスイッチ２５２は、超音波変換器１１４を起動し、超音波変換器１１４に対して１つ又はそれより多くの電源設定を設定するための１つ又はそれより多くの電源設定スイッチを備える。一実施形態では、トグルスイッチ２５２は、最小電力レベル（例えば、ＭＩＮ）と最大電力レベル（例えば、ＭＡＸ）との間の超音波変換器１１４の電源設定を設定するための第１の電気的接触部分２５２ａ及び第２の電気的接触部分２５２ｂを備える。トグルスイッチ２５２の第１及び第２の接触部分２５２ａ、ｂは、例えば、ＧＬＳ社（GLS Corporation）によって作製されるバーサフレックス（Versaflex）（登録商標）ＴＰＥ合金を含む柔らかい高分子材料でオーバーモールドされ得る。オーバーモールド部分は、ハンドルアセンブリ１０２の残りの部分からのトグルスイッチ２５２接触部分２５２ａ、ｂの触覚的識別又は区別に有用であり得る。接触部分２５２ａ、ｂは、扱い難い位置で、又は短い指に対して起動へアクセスのより広範囲な自由を可能にするために、ある程度、固定ハンドル１２２を包み込むように構成され得る。先述のように、接触部分２５２ａ、ｂのうちの１つは、ユーザが第１の接触部分２５２ａと第２の接触部分２５２ｂを区別することを可能にする質感又は触覚表面を備えることができる。第１の接触部分２５２ａ又は第２の接触部分２５２ｂのいずれかは、ユーザが、第１の接触部分２５２ａ（ＭＡＸ）と第２の接触部分２５２ｂ（ＭＩＮ）を区別することを可能にする複数の質感があるリブ２５２ｃを備えることができる。
【０１０３】
トグルスイッチ２５２は、ユーザの手によって操作され得る。ユーザは、不注意又は意図的でない起動を常に回避しつつ、任意の時点で第１及び第２の電気的接触部分２５２ａ、ｂに容易にアクセスすることができる。トグルスイッチ２５２は、超音波アセンブリ１１４を起動し、及び／又は超音波アセンブリ１１４の電力レベルを制御するために、ユーザの人差し指によって操作され得る。人差し指を使用して、第１の接触部分２５２を起動し、超音波アセンブリ１１４をオンにして、最大（ＭＡＸ）電力レベルにすることができる。人差し指を使用して、第２の接触部分２５２ｂを起動し、超音波アセンブリ１１４をオンにして、最小（ＭＩＮ）電力レベルにすることができる。第１の接触部分２５２ａ又は第２の接触部分２５２ｂは、ユーザが見ずに触覚の感覚を使用してそれらを区別することを補助するための質感を含むことができる。例えば、示された実施形態では、第１の接触部分２５２ａは、ユーザが、第１の接触部分２５２ａ（ＭＡＸ）と第２の接触部分２５２ｂ（ＭＩＮ）を区別することを可能にする複数の質感があるリブ２５２ｃを備える。他の質感又は要素は、ユーザがそれらを区別することを可能にするために、第１又は第２の接触部分２５２ａ、ｂのいずれかの上に形成され得る。トグルスイッチ２５２は、ユーザが第１又は第２の接触部分２５２ａ、ｂを見ることを必要とせずに操作され得る。これは、ユーザが腹腔鏡的処置中、モニタ表示に完全に集中することを可能にする。ユーザは、トグルスイッチ２５２を操作するためにグリップを再配置しなくてもよく、エンドエフェクタアセンブリ１１２の顎部を開く間に電力オン／オフ又はＭＩＮ／ＭＡＸを容易に調整することができる。
【０１０４】
一実施形態では、近位回転アセンブリ２３４は、長手方向軸「Ｔ」（図１３）の周囲のいずれの方向２５０にも制限なく回転可能である。近位回転アセンブリ２３４は、細長内視鏡シャフトアセンブリ１１０に機械的に係合される超音波変換器１１４のハウジングに機械的に係合される。近位回転アセンブリ２３４は、ハンドルアセンブリ１０２の近位部分に配置される。近位回転アセンブリ２３４は、細長内視鏡シャフトアセンブリ１１０に機械的に係合される超音波変換器１１４のハウジングに機械的に係合される内方への突出部を備える。回転ノブ２３８は、細長内視鏡シャフトアセンブリ１１０を方向２５０へ３６０度回転させるために、人差し指によって係合され得る。
【０１０５】
一実施形態では、超音波外科用器具２３０は、ユーザが器具の多面的機能及び制御に容易にアクセスし、操作することを可能にする人間工学的特徴を用いて構成され得る。したがって、人差し指を使用して、ハンドルアセンブリ１０２の近位端に配置される遠位回転ノブ２３８を操作することができる。回転ノブ２３８は、超音波伝達導波管１６４（図１４）に機械的に係合され、音響的に連結される超音波変換器１１４のハウジングに機械的に係合される。そのため、人差し指を使用して、回転ノブ２３８を回転させ、超音波伝達導波管１６４のシャフトを回転させ、エンドエフェクタアセンブリ１１２を外科的処置中に適切な向きで配置することができる。ロッカースイッチ２５２のＭＩＮ／ＭＡＸ電源ボタンは、器具２３０の固定ハンドル１２２上に好適に配置され、それにより、それらは、人差し指で操作され得る。したがって、人差し指を使用して、内視鏡部分１１０のシャフトを回転させ、エンドエフェクタアセンブリ１１２の顎部を所望の位置に配向し、超音波変換器１１４の電力レベルを起動することができる。
【０１０６】
図３０〜３２は、近位回転アセンブリ２６２を備える超音波外科用器具２６０の一実施形態を示す。示された実施形態では、近位回転アセンブリ２６２を備える超音波外科用器具２６０は、内視鏡的又は伝統的な観血的外科的処置を含む様々な外科的処置において使用され得る。一実施形態では、超音波外科用器具２６０は、ユーザが器具の多面的機能及び制御に容易にアクセスし、操作することを可能にする人間工学的特徴を用いて構成され得る。近位回転アセンブリ２６２は、ハンドルアセンブリ１０２の近位端上に配置され得、親指又は指（例えば、人差し指）で容易にアクセスされ得る。これは、ハンドルアセンブリ１０２の遠位端に配置される回転ノブに関連し得る任意の障害又は「到達」の問題を実質的に減少させる。加えて、親指の使用は、人差し指を解放し、例えば、ハンドルアセンブリ１０２の遠位端に配置されるトグルスイッチ１３２により容易、かつ有効にアクセスする。
【０１０７】
一実施形態では、近位回転アセンブリ２６２は、リング状の近位回転ノブ２６４を備える。近位回転ノブ２６４は、超音波変換器１１４の外表面１１５に機械また摩擦係合するように構成される。先述のように、超音波変換器１１４は、細長内視鏡シャフトアセンブリ１１０に機械的に係合される。そのため、回転ノブ２６４を回転させることによって、超音波変換器１１４及び細長内視鏡シャフトアセンブリ１１０が同じ方向２５０に回転する。近位回転ノブ２６４は、その外部分１１３上に形成される複数の縦溝２６６（例えば、リブ又は扇形）を備える。縦溝２６６は、近位回転ノブ２６４を長手方向軸「Ｔ」の周りのいずれの方向２５０に３６０度回転させるために、ユーザの親指又は指によって係合され得る。近位回転ノブ２６４の縦溝２６６は、正確な回転グリップも提供する。一実施形態では、回転ノブ２６４は、正確な回転グリップを提供するための任意の好適な数の縦溝２２６を備えることができる。近位回転ノブ２６４は、その内部分１１７上に形成される複数の放射状突起２６８も備える。放射状突起２６８は、超音波変換器１１４の外表面１１５にしっかりと摩擦係合するために、柔軟な弾性高分子材料で形成され得るか、又はそれで被覆され得る。放射状突起２６８は、超音波変換器１１４の外表面１１５と近位回転ノブ２６４の間のぴったりとした、又はしっかりとした適合を形成する大きさである。超音波変換器１１４は、表面２１０及びスタッド２６６（図２７）によって細長内視鏡シャフトアセンブリ１１０の超音波伝達導波管１６４部分にしっかりと機械的に係合される。したがって、しっかりと把持された近位回転ノブ２６４が方向２５０に回転される際、超音波変換器１１４及び細長内視鏡シャフトアセンブリ１１０全体も同じである。近位回転ノブ２６４は、親指又は指を使用して、超音波変換器１１４及び細長内視鏡シャフトアセンブリ１１０のスムーズ、かつ容易な回転を提供し、高い制御を外科医に提供する。超音波変換器１１４は、近位開口部１５６の内壁内に形成される溝（図示せず）に係合するための円周隆起部２７４を有する遠位縁部分２７２を備える。
【０１０８】
先述のように、一実施形態では、近位回転ノブ２６４は、超音波伝達導波管１６４（図１４）に機械的に係合され、音響的に連結される超音波変換器１１４の外側ハウジングにしっかりと機械又は摩擦係合される。例えば、外科的処置中、親指又は人差し指のいずれかを使用して、超音波伝達導波管１６４のシャフトの回転を制御し、エンドエフェクタアセンブリ１１２の顎部を好適な向きで配置することができる。中指及び／又は他の、より低い指を使用して、トリガ１２０を圧迫し、顎部内の組織を握ることができる。顎部が所望の位置に配置され、顎部が組織に対してクランプされると、人差し指を使用して、トグルスイッチ１３２を起動し、超音波変換器１１４の電力レベルを調整し、組織を治療することができる。組織が治療されると、ユーザは、トリガ１２０を解放し、中指及び／又はより低い指で細長トリガフックを遠位方向外向きに押し、エンドエフェクタアセンブリ１１２の顎部を開くことができる。この基本的方法は、ユーザがハンドルアセンブリ１０２上のグリップを調整することを必要とせずに行うことができる。
【０１０９】
一実施形態では、近位回転ノブ２６４は、例えば、ＧＬＳ社（GLS Corporation）によって作製されるバーサフレックス（Versaflex）（登録商標）ＴＰＥ合金を含む柔軟な弾性可撓性高分子材料で形成され得る。柔軟な弾性及び可撓性高分子材料は、近位回転ノブ２６４の外部分で、安定した快適なグリップをユーザに提供する。
【０１１０】
近位回転ノブ２６４は、超音波外科用器具２６０内に詰め込まれ得るが、それに取り付けられていない付属品として別々に提供され得る。近位回転ノブ２６４は、実質的に柔軟な弾性及び可撓性高分子材料で形成されるドーナツ状又はリング状の単一構成要素であり得る。近位回転ノブ２６４は、超音波変換器１１４、例えば、両方ともエシコン・エンド−サージェリー社（Ethicon Endo-Surgery）によって製造されるハンドピースＨＰ０５４又はＨＰＢＬＵＥの外表面１１５を覆うように挿入され得る。近位回転ノブ２６４の内部分１１７上に形成される放射状突起２６８又は「グリッパリブ」は、超音波変換器１１４の外表面１１５の直径にしっかりと係合する。放射状突起２６８は、近位回転ノブと同じ柔軟な弾性可撓性高分子材料で形成され、摩擦干渉嵌合をもたらすために、超音波変換器１１４の外表面１１５の直径に対して小さい直径を画定することができる。しかしながら、放射状突起２６８は、構成要素を組み立てることを困難にするほどきつく超音波変換器１１４の外表面１１５の直径に係合しない。
【０１１１】
近位回転ノブ２６４が、超音波変換器１１４の外表面１１５上に配置されると、変換器１１４は、器具ハンドルアセンブリ１０２の近位開口部１５６を通って挿入され、表面２１０は、スタッド２２６（図２７）によって超音波伝達導波管１６４に取り付けられる。他の実施形態では、超音波変換器１１４の遠位端は、超音波伝達導波管１６４の上にはめ込まれ得る。超音波変換器１１４の遠位端が、器具ハンドルアセンブリ１０２の近位開口部１５６内に配置されると、近位回転ノブ２６４は、超音波変換器１１４とともに自由に回転されることができ、また、スタッド２２６の最後のねじ山が超音波変換器１１４を細長内視鏡シャフトアセンブリ１１０へ向かって近位方向に引く際、超音波変換器１１４の外表面に沿って長手方向軸Ｔに沿って長手方向に自由にスライドすることができる。超音波変換器１１４が、トルクレンチで完全に組み立てられる後、近位回転ノブ２６４は、自由に回転できるままであり、超音波変換器１１４を把持し、それによって、細長内視鏡シャフトアセンブリ１１０全体を回転させる。放射状突起２６８は、アセンブリの外部又は外科医の手袋が濡れている手術条件下でも、細長内視鏡シャフトアセンブリ１１０の回転を容易にするための妥当な力で超音波変換器１１４の外表面を摩擦固定する。使用後、近位回転ノブ２６４は、超音波変換器１１４から取り外され、以下に記載されるように破棄又は滅菌のいずれかがされ得る。
【０１１２】
図３３は、近位及び遠位回転アセンブリの両方を備える超音波外科用器具のためのハンドルアセンブリ２８０の一実施形態の左側面図である。一実施形態では、ハンドルアセンブリ２８０は、数多くの手の位置においてアクセス可能であり、数多くの手の寸法に好適であり得る複数の回転制御を備える。一実施形態では、ハンドルアセンブリ２８０は、前述の通り、遠位回転制御ノブ１３４及び近位回転制御ノブ２６４を備える二重回転制御を備える。一実施形態では、ハンドルアセンブリ２８０は、前述の通り、遠位回転ノブ１３４を備える遠位回転アセンブリ１０６を備える。加えて、ハンドルアセンブリ２８０は、前述の通り、近位回転ノブ２６４を備える近位回転アセンブリ２６２を備える。
【０１１３】
図３４は、ハンドルアセンブリ２８０の一実施形態の拡大部分的左斜視図である。図３４に示されるように、一実施形態では、近位回転ノブ２６４は、リング状であり、外部分１１３及び内部分１１７を備える。複数の縦溝２６６は、その外部表面２７６上に形成される。近位回転ノブ２６４の内面２７０は、超音波変換器１１４のハンドピースアセンブリの外側輪郭に摩擦係合するための複数の放射状突起２６８を備える。先述のように、近位回転ノブ２６４は、例えば、柔軟な弾性可撓性高分子材料で形成され得る。
【０１１４】
図３３及び３４の両方を参照すると、近位回転アセンブリ２６２及び遠位回転アセンブリ１０６などの二重回転制御の組み合わせは、いくつかの利益を提供する。二重回転制御は、ハンドルアセンブリ２８０を、小さい手を有するユーザにより適するようにし、それは、親指及び／又は指の自然の動作を使用するため、疲労を低下させる。小さい手を有するユーザが遠位回転ノブ１３４の指先回転制御に到達することが困難であるか、又は手が扱い難い位置にある場合、近位回転ノブ２６４は、細長内視鏡シャフトアセンブリ１１０の回転を制御するために親指で近位回転ノブ２６４を使用する選択肢をユーザに提供する。
【０１１５】
近位回転ノブ２６４及び遠位回転ノブ１３４は、組み合わせて使用され、応力及び疲労を緩和するために反対方向に長内視鏡シャフトアセンブリ１１０を回転させ、また、一方向のみに回転するとき、使用中にケーブル１１８（図１、２７、２８、３０）がハンドピースに巻きつかないようにすることができる。例えば、右利きのユーザは、人差し指を使用して遠位回転ノブ１３４を時計回りに回転させ、親指を使用して近位回転ノブ２６４を反時計回りへ回転させて、指の疲労を緩和し、ケーブル１１８が絡まらないようにすることができる。そのため、ユーザは、時計回りと反時計回りへの回転方法との間で簡単に切り替えることができるので、ケーブル１１８は、絡まることが少なくなる。
【０１１６】
近位回転アセンブリ２６２及び遠位回転アセンブリ１０６の組み合わせの追加的な利益としては、同時多機能使用及び複数の手の位置における使用の容易性が挙げられる。近位回転ノブ２６４は、親指でのエンドエフェクタアセンブリ１１２の回転制御を可能にする。これは、より快適であり得、小さい手のユーザに対してより微細な回転制御を可能にし得る。先述のように、使用する際、近位回転ノブ２６４は、ユーザが細長内視鏡シャフトアセンブリ１１０を回転させ、エンドエフェクタアセンブリ１１２のクランピング機構の顎部を制御し、ロッカースイッチ１３２を起動することを同時に可能にし、経験のあるユーザに対して装置の新しい使用法をもたらす。遠位及び近位回転制御の組み合わせを提供することは、例えば、中立位置、回外位、回内位、扱い難い位置などの手の位置によって、ユーザが最も好適な回転制御を選択することを可能にする。二重回転はまた、指及び親指の自然な動作が下向きの運動で移動して制御ノブの回転を生じるため、疲労が少ない。例えば、人差し指で遠位回転ノブ１３４に対して下向きの力をかけ、細長内視鏡シャフトアセンブリ１１０を時計回りに回転させることができる。遠位回転ノブ１３４の反時計回りの回転は、扱い難く、やや疲労が多い可能性がある人差し指の上向きの運動を必要とする。親指で下向きの力を近位回転ノブ２６４に対してかけ、細長内視鏡シャフトアセンブリ１１０を反時計回りに回転させることができる。そのため、細長内視鏡シャフトアセンブリ１１０の反時計回りの回転は、親指運動のより扱い難くなく、疲労の少ない下向きの運動を必要とする。二重回転制御構成は、細長内視鏡シャフトアセンブリ１１０に回転を適用するために、指と親指との間で選択する選択肢をユーザに与え、それは、１つの筋肉群に対してより少ない複合的疲労をもたらす。いずれの場合でも、ユーザは、体格及び体型に最適な制御構成を選択する選択肢を有する。
【０１１７】
図３５は、超音波外科用器具のためのハンドルアセンブリ２８１の一実施形態の部分切り取り図を示す。ここで図３５及び図１０〜１２及び１４を参照すると、一実施形態では、トリガ２７８は、様々なリンク部材及びヨーク１７０を通って連結要素１６０（図１４）に機械的に係合されるヨーク１７０を作動させる。連結要素１６０は、ヨーク１７０に置かれ、ヨーク１７０の開口部１７１を通って提供されるピン１６２（図１４）で定位置に係止される。細長内視鏡シャフトアセンブリ１１０は、連結要素１６０によってヨーク１７０に連結される。連結要素１６０は、外部管状シース１４２の近位端に配置されるハブ１６３に機械的に係合する。例えば、外部管状シース１４２のハブ１６３は、ピン１６２によってヨーク１７０に保持される。往復管状作動部材１４４の近位端は、外部管状シース１４２に機械的に係合される。定位置に係止されると、ヨーク１７０、連結要素１６０は、長手方向軸Ｔに沿って方向１４６Ａ、Ｂに開口部２９６内で往復し、同じ方向の細長内視鏡シャフトアセンブリ１１０の運動をもたらす。運動は、トリガ２７８に応答する。したがって、トリガが方向１２１Ａ、Ｂに移動する際、ヨーク１７０、連結要素１６０、及び細長内視鏡シャフトアセンブリ１１０は、対応する方向１４６Ａ、Ｂに移動する。そのため、トリガ２７８が方向１２１Ａに圧迫されるとき、往復管状作動部材１４４は、方向１４６Ａに移動し、図１０〜１２に示されるように、方向１４８Ａでエンドエフェクタアセンブリ１１２の顎部要素を閉じる。バネ要素１８２は、圧迫力が解放されるとき、方向１２１Ｂに移動可能なトリガを戻す。したがって、ヨーク１７０及び往復管状作動部材１４４は、方向１４６Ｂに移動し、図１０〜１２に示されるように、方向１４８Ｂにエンドエフェクタアセンブリ１１２の顎部を開く。
【０１１８】
示された実施形態では、ハブ１３３は、ハンドルアセンブリ１０２の第１及び第２の部分１０２ａ、ｂ内に配置される。円周縁３４４は、円筒形のスリーブ部分１３５上に形成され、ハンドルアセンブリ１０２の遠位端に形成される円周溝３４６内に受容される。円周縁３４４及び円周溝３４６は、円筒形のスリーブ部分１３５が円周溝３４６内で自由に回転できる大きさである。ハブ１３３は、ハンドルアセンブリ１０２の第１及び第２の部分１０２ａ、ｂが一致するとき、円周溝３４６内で自由に回転できる。ハブ１３３は、遠位回転ノブ１３４を受容する大きさであり、そのように構成される。
【０１１９】
一実施形態では、トリガ２７８は、移動可能な第１の旋回点２８８で、第１及び第２のリンク部材２８２、２８４に機械的に係合される。移動可能な旋回点２８８は、第１のスロット２９４内で捕らえられ、移動する。一端では、第１及び第２のリンク部材２８２、２８４は、第１の旋回点２８８で旋回可能である。第１のリンク部材２８２の他の端部では、第１のリンク部材は、第２の旋回点２９０に連結され、その周りを回転可能である。第２のリンク部材２８４の他の端部では、第２のリンク部材２８４は、第３の旋回点２９２に連結され、その周りを回転可能である。一端では、第３のリンク部材２８６は、第３の旋回点２９２で第２のリンク部材２８４に連結される。他の端部では、第３のリンク部材２８６は、第２のスロット３０２において捕らえられ、その中で移動可能な第４の旋回軸３００に連結される。ヨーク１７０は、第４の旋回軸３００で第３のリンク部材２８６に連結される。ヨーク１７０は、連結要素１６０に連結され、往復ヨークアセンブリ１７３の一部である。したがって、トリガ１２０が、方向１２１Ａに圧迫される際、第１の旋回点２８８は、第１のスロット２９４内で下向きに移動し、第２のリンク部材２８４及び第３のリンク部材２８６を下向きに引く。第３のリンク部材２８６が、下向きに引かれる際、ヨーク１７０は、長手方向軸Ｔに沿って方向１４６Ａに押し進められ、方向１４８Ａにエンドエフェクタアセンブリ１１２の顎部要素を閉じる。移動可能なトリガ１２０が解放される際、バネ要素１８２は、方向１２１Ｂにトリガ２７８を強制的に移動させ、それは、順に、長手方向軸Ａに沿って方向１４６Ｂにヨークを強制的に移動させ、方向１４８Ｂでエンドエフェクタアセンブリ１１２の顎部要素を開く。
【０１２０】
図３６は、ハンドルアセンブリ２８１のハウジング部分内にあるトグルスイッチ１３２及びヨークアセンブリ１７３の一実施形態の拡大部分図である。スイッチアセンブリ１０８は、同時起動の可能性を排除するために、ハンドルアセンブリ１０２の内側に配置される中心旋回軸３０４有する単一構成要素として実践されるトグルスイッチ１３２を備える。トグルスイッチ１３２は、第１の突起ノブ１３２ａ及び第２の突起ノブ１３２ｂが作動する際、中心旋回軸３０４の周りを回転する。電気要素１７２ｂは、第１又は第２の突起ノブ１３２ａ、ｂの起動に従って超音波変換器１１４を電気的に通電させる。
【０１２１】
図３７〜４４は、近位及び遠位回転アセンブリの両方を備える超音波外科用器具のためのハンドルアセンブリ３１０の一実施形態を示す。示された実施形態では、ハンドルアセンブリ３１０は、数多くの手の位置、及び数多くの手の寸法に対してアクセス可能であり得る複数の回転制御を備える。一実施形態では、ハンドルアセンブリ３１０は、第１の部分３１４ａ（図示せず）及び第２の部分３１４ｂで形成されるハウジング３１４を備える。ハンドルアセンブリ３１０は、前述の近位回転アセンブリ３１２と、遠位回転アセンブリ１０６とを備える。近位回転アセンブリ３１２は、近位回転ノブ３３４を備え、遠位回転アセンブリ１０６は、遠位回転ノブ１３４を備える。
【０１２２】
一実施形態では、ハンドルアセンブリ３１０は、前述の通り、ハブ１３３及び縦溝１３４ｂを有する遠位回転ノブ１３４を備える遠位回転アセンブリ１０６を備える。加えて、ハンドルアセンブリ３１０は、近位回転アセンブリ３１２を備える。近位回転アセンブリ３１２は、円筒形のハブ３３５に取り付けられる近位回転ノブ３３４と、その外部分上に形成される複数の縦溝３３６とを備える。円筒形のハブ３３５は、ハウジング３１４に形成される対応する円周溝３２８に係合するように適合され、構成される円周縁３３２を備える。円周縁３３２及び対応する円周溝３２８は、円筒形のハブ３３５が円周溝３２８内で自由に回転することを可能にする大きさである。円筒形のハブ３３５は、その周囲に形成される複数のスロット３３０を備える。近位回転ノブ３３４は、スロット３３０に対応する、周囲に形成される複数の放射状突起３３８を備える。近位回転ノブ３３４は、柔軟な弾性可撓性材料で形成され得る。複数の放射状突起３３８の一部分は、超音波変換器１１４の外表面にしっかりと摩擦係合するために、スロット３３０を通って半径方向に突出する。
【０１２３】
一実施形態では、ハンドルアセンブリ３１０は、トリガ３２２と、固定ハンドル３１６とを備える。固定ハンドル３１６は、ハンドルハウジング３１４と一体的に関連し、トリガ３２２は、超音波外科用器具１００の操作に関して図１〜９において既に詳述されるように、固定ハンドル３１６に対して移動可能である。固定ハンドル３１６及びトリガ３２２は、ユーザと快適に連動する。トリガ３２２は、圧迫力がトリガ３２２に対してかけられるとき、固定ハンドル３１６への方向１２１Ａに移動する。バネ要素１８２（図１４）により、ユーザがトリガ３２２に対する圧迫力を解放するとき、トリガ３２２が方向１２１Ｂに移動して元の状態に戻る。
【０１２４】
一実施形態では、トリガ３２２は、細長トリガフック３２４の部分を備え、それは、細長トリガフック２７９と固定ハンドル１２２との間の開口１２６を画定する。開口１２６は、１つ又は複数の指を、その開口１２６を通して受容する寸法である。
【０１２５】
一実施形態では、トリガ３２２はまた、トリガ３２２の基材を覆うように成型される接触部分３２２ａも備えることができる。オーバーモールド部分３２２ａは、方向１２１Ｂのトリガ３２２の外向きの制御のためのより快適な接触面を提供する。一実施形態では、オーバーモールド部分３２２ａは、細長トリガフック３２４の一部分を覆うように提供され得る。例えば、示された実施形態では、オーバーモールド部分３２２ａ接触面は、クッションを、それがユーザによって必要とされる場所に提供するために、細長トリガフック３２４の内側部分の遠位及び上面を覆うように提供される。細長トリガフック３２４の近位面は、指が開口１２６の内外により容易にスライドすることを可能にするために、被覆されていなく、裸基質（例えば、ポリカーボネート）のままである。
【０１２６】
他の実施形態では、細長トリガフック３２４は、例えば、ＧＬＳ社（GLS Corporation）によって作製されるバーサフレックス（Versaflex）（登録商標）ＴＰＥ合金を含む柔軟な弾性可撓性高分子材料で形成されるオーバーモールド構成要素を組み込むことができる。細長トリガフック３２４は、追加的な快適性又はより安定したグリップをユーザに提供するために、オーバーモールド部分３２２ａを組み込むことができる。細長トリガフック３２４の内部分の上部分上に形成されるオーバーモールド接触部分３２２ａは、指が開口１２６に入る際、指上の端圧点を軽減する。トリガフック３２４の上部分は、第２の突起ノブ１３２ｂ（図示せず）のための追加的な空間距離を可能にする凹部領域３２５を備えることができる。
【０１２７】
一実施形態では、固定ハンドル３２２は、近位接触面３１７と、グリップアンカー又はサドル面３１８とを備える。近位接触面３１７は、ユーザの手のひらに受容される、リング又は開口を有さない通常のピストルグリップである。近位接触面３１７のプロファイル曲線は、手のひらに適合するか、又はこれを受容するような輪郭である。超音波器具を使用している間に快適性及び制御を提供するために、近位接触面３１７のプロファイルは、手のひら中央の谷部分及び親指の付け根における自然の解剖学的輪郭に適合するように最適化される。一実施形態では、サドル面３１８は、グリップアンカーを提供し、それは、ハンドルアセンブリ３１０の制御の安定性に貢献する。サドル面３１８の位置は、固定ハンドル３１６の近位接触面３１７から近位回転ノブ３３４、遠位回転ノブ１３４、細長トリガフック３２４、及び電源投入トグルスイッチにアクセスするための、指及び親指に対する運動の範囲を決定する。
【０１２８】
親指と人差し指との間に配置される手の部分に接触し得る安定化尾部３２０は、ハンドルが追加された制御をハンドルアセンブリ３１０に提供するとき、安定性を追加する。安定化尾部３２０は、超音波外科用器具の近位重量がユーザの手の上部に載ることを可能にするために、延長戻り領域を提供する。これは、ハンドルアセンブリ３１０のサドル面３１８における安定性、快適性、及び制御のより良い感覚を提供する。
【０１２９】
図４５〜５２は、図３７〜４４に示される近位回転アセンブリ３１２の一実施形態を示す。示された実施形態では、近位回転アセンブリ３１２は、円筒形のハブ３３５を覆うように挿入される近位回転ノブ３３４を備える。近位回転ノブ３３４は、円筒形のハブ３３５の近位端上に形成される、対応するスロット３３０に受容される複数の放射状突起３３８を備える。近位回転ノブ３３４は、超音波変換器１１４の遠位端を受容するための開口部３４８を画定する。放射状突起３３８は、柔らかい高分子材料で形成され、超音波変換器１１４の遠位端が、嵌合されたときに摩擦干渉嵌合を生じさせるために、超音波変換器１１４の外径に対して小さい直径を画定する。高分子放射状突起３３８は、超音波変換器１１４の外部ハウジングをしっかりと把持する「グリッパ」リブを形成するために、開口部３４８へ半径方向に突出する。したがって、近位回転ノブ３３４は、超音波変換器１１４をしっかりと把持する。
【０１３０】
円筒形のハブ３３５の遠位端は、円周縁３３２と、円周軸受表面３４０とを備える。円周縁は、ハウジング３１４に形成される溝３２８を係合し、円周軸受表面３４０は、例えば、図３８及び４０に示されるように、ハウジング３１４を係合する。そのため、円筒形のハブ３３５は、図３７〜４４に示されるように、ハウジング３１４の２つのハウジング部分３１４ａ（図示せず）及び３１４ｂ内に機械的に保持される。円筒形のハブ３３５の円周縁３３２は、第１と第２のハウジング部分３１４ａ、ｂとの間に配置されるか、又は「嵌められ」、溝３２８内の定位置で自由に回転できる。円周軸受表面３４０は、適切な回転を補助するために、ハウジング３１４の内部分に対して位置する。そのため、円筒形のハブ３３５は、ハウジング３１４内の定位置で自由に回転できる。ユーザは、ハウジング３１４内で円筒形のハブ３３５を回転させるために、近位回転ノブ３３４上に形成される縦溝３３６を指又は親指のいずれかと係合させる。
【０１３１】
一実施形態では、円筒形のハブ３３５は、ポリカーボネートなどの耐久性プラスチックで形成され得る。一実施形態では、円筒形のハブ３３５は、シリコン処理をしたポリカーボネート材料で形成され得る。一実施形態では、近位回転ノブ３３４は、例えば、ＧＬＳ社（GLS Corporation）によって作製されるバーサフレックス（Versaflex）（登録商標）ＴＰＥ合金を含む柔軟な弾性可撓性高分子材料で形成され得る。近位回転ノブ３３４は、例えば、エラストマー材料、サントプレーン（Santoprene）（登録商標）として周知の熱可塑性ゴム、他の熱可塑性加硫物（ＴＰＶｓ）、又はエラストマーで形成され得る。ただし、実施形態はこの文脈に限定されない。
【０１３２】
図５３〜５７は、図３７〜４４に示される遠位回転アセンブリ１０６の一実施形態を示す。示された実施形態では、遠位回転アセンブリ１０６は、その上に形成される縦溝付き回転ノブ１３４を備えるハブ１３３で形成される。ハブ１３３は、遠位ハウジング部分（例えば、第１及び第２のハウジング部分１０２ａ、ｂ、並びに第１及び第２のハウジング部分３１４ａ、ｂ）内に受容される円筒形のスリーブ部分１３５を備える。一対の開口部３４２は、円筒形のスリーブ部分１３５に形成され、ピン１６２を受容し、外部管状シース１４２（図１４）のハブ部分１６３を保持する。円周縁３４４は、円筒形のスリーブ部分１３５上に形成され、ハンドルアセンブリ１０２の遠位端に形成される、対応する溝３４６内に受容される。円周縁３４４及び円周溝３４６は、ハンドルアセンブリ１０２の第１及び第２の部分１０２ａ、ｂが結合されるとき、円筒形のスリーブ部分１３５が円周溝３４６内で自由に回転できる大きさである。
【０１３３】
ハブ１３３は、左と右ハウジング部分１０２ａ、ｂとの間に配置されるか、又は回転可能に「嵌められ」、溝３４６内の定位置で自由に回転できる。縦溝付き回転ノブ１３４は、周知のオーバーモールド技術又は他の技術の使用を採用してハブ１３３を覆うように形成される。縦溝付き回転ノブ１３４も、ハブ１３３と機械又は摩擦係合され得る。縦溝は、隆起部又はリブ１３４ｂ及びその間に形成される凹部領域１３４ｂによって画定される。ハブ１３３は、ポリカーボネートなどの耐久性プラスチックで形成され得る。一実施形態では、ハブ１３３は、シリコン処理をしたポリカーボネート材料で形成され得る。縦溝付き回転ノブ１３４は、例えば、サントプレーン（Santoprene）又はバーサフレックス（Versaflex）などの弾性のある柔軟な高分子材料で形成される。実施形態はこの文脈に限定されない。
【０１３４】
ここで図５８〜６９を見ると、すべての人に対して「理想的」である、制御境界面の寸法、形状、及び位置に関してハンドル設計を作製することは、長年の課題である。５パーセンタイルの小柄な女性から９５パーセンタイルの大柄な男性外科医の身体計測の非常に大きい差異は、範囲の両極端にいるユーザに対して人間工学的課題を伝統的にもたらす。複数の異なるハンドル寸法の提供は、しばらくの間考慮されているが、あまり在庫を保持しないという病院社会内での通則があるため、ある寸法のハンドルが、特定の病院で特定の個人に対して利用可能ではないというリスクが未だに存在する。そのため、様々な実施形態は、幅広い種類の手の寸法に対する快適性及び制御に関してより最適に人間工学的に連動する用に複数の器具のためのハンドル設計を提供する。
【０１３５】
図５８は、ハンドルアダプタを受容するために好適な超音波外科用器具のためのハンドルアセンブリ１０２の一実施形態の右側面斜視図である。ハンドルアセンブリ１０２は、トリガアセンブリ１０４と、遠位回転アセンブリ１０６と、スイッチアセンブリ１０８とを備える。ハンドルアセンブリ１０２は、トリガ１２０と、固定ハンドル１２２とを備える。固定ハンドル１２２は、ハンドルアセンブリ１０２と一体的に関連し、トリガ１２０は、超音波外科用器具１００の操作に関して以下に詳述されるように、固定ハンドル１２２に対して移動可能である。固定ハンドル１２２及びトリガ１２０は、ユーザと快適に連動する。固定ハンドル１２２は、近位接触面１２８と、グリップアンカー又はサドル面１３０とを備える。安定化尾部１３１は、親指と人差し指との間に位置する手の部分に接触し得、安定性をハンドルアセンブリ１０２に追加する。トリガ１２０は、細長トリガフック１２４を備え、それは、細長トリガフック１２４と固定ハンドル１２２との間の開口１２６を画定する。ハンドルアセンブリ１０２は、以下に記載されるハンドルアダプタを受容するために好適である。
【０１３６】
図５９は、ハンドルアセンブリ１０２の一実施形態、及びハンドルアダプタ４００の一実施形態の右側面斜視図である。ハンドルアダプタ４００は、固定ハンドル１２２、近位接触面１２８、サドル面１３０、及び安定化尾部１３１を受容する開口部４０２を画定する本体を備える。開口部４０２の内部は、近位接触面１２８、サドル面１３０、及び安定化尾部１３１の逆形状である輪郭を画定し、それにより、アダプタは、近位接触面１２８、サドル面１３０、及び安定化尾部１３１に対してぴったり合う。開口部４０２の外輪郭は、固定ハンドル１２２上に本来形成される近位接触面１２８、サドル面１３０、及び安定化尾部１３１と実質的に同様の新しい固定ハンドル１２２’、近位接触面１２８’、サドル面１３０’、及び安定化尾部１３１’の部分を画定する。ハンドルアダプタ４００の厚さ又は幅は、ユーザの手の寸法に人間工学的に適している。ハンドルアダプタ４００は、一体成形構成要素で形成され得、平均から小さい手に対する寸法であり得る超音波外科用器具と連携して使用されるように詰め込まれ得る。ハンドルアダプタ４００は、容易に、超音波外科用器具１００のハンドルアセンブリ１０２に取り外し可能に取り付けられ、グリップの寸法を拡張又は拡大し、大きい手に適合することができる。顕著な図が、器具パッケージ及びハンドルアダプタ４００上に提供され、ハンドルアダプタ４００の意図される使用を伝えることができる。ハンドルアダプタ４００の全体的外観は、その機能を簡単に分かりやすくする。
【０１３７】
図６０は、ハンドルアセンブリ１０２の一実施形態の右側面斜視図であり、それに取り付けられるハンドルアダプタ４００を備える。一実施形態では、ハンドルアダプタ４００は、固定ハンドル１２２の主要なグリップ部分を覆う「手袋のように」適合する圧入構成要素として形成され得る。ハンドルアダプタ４００は、使用中、摩擦によって定位置に保持される。ハンドルアダプタ４００は、ハンドルアセンブリ１０２から容易に再移動可能である。ハンドルアダプタ４００は、とりわけ、様々なジュロ硬度を有する多種類のエラストマー、剛性ポリマー、及び柔軟なポリマーを含む多様な材料で形成され得る。一実施形態では、アダプタの表面積は、ハンドルアダプタ４００の形状の輪郭を覆う広範な質感及びグリップ詳細を含むことができる。別の実施形態では、ハンドルアダプタ４００は、主要なハンドルの一部として組み込まれる様々な寸法特徴を含むことができ、係止／解放制御は、特定の手の寸法に対する実質的に無限の調整を可能にするために、ハンドルアダプタ４００の近位部分が延長するか、又は縮むことを可能にする。
【０１３８】
図６１〜６９は、超音波外科用器具のハンドルアセンブリに取り付けるために好適なスナップボタン特徴部を含むハンドルアダプタ４１０の一実施形態を示す。ハンドルアダプタ４１０は、外科用器具のハンドルアセンブリの固定ハンドル部分を受容するように適合され、構成される開口部４１２を画定する。ハンドルアダプタ４１０は、ユーザの手により好適に人間工学的に適合するハンドルアセンブリの固定ハンドル１２２’、近位接触面１２８’、サドル面１３０’、及び安定化尾部１３１’の部分を画定する。ハンドルアダプタ４１０は、一体成形構成要素で形成され得、平均から小さい手に対する寸法であり得る超音波外科用器具と連携して使用されるように詰め込まれ得る。ハンドルアダプタ４１０は、超音波外科用器具１００のハンドルアセンブリ１０２（図５８〜６０）に容易に取り外し可能に取り付けられ、グリップの寸法を拡張又は拡大し、大きい手に適合することができる。顕著な図が、パッケージ及びハンドルアダプタ４１０上に提供され、ハンドルアダプタ４１０の意図される用途を伝えることができる。ハンドルアダプタ４１０の全体的外観は、その機能を容易に理解できるようにする。
【０１３９】
一実施形態では、ハンドルアダプタ４１０は、固定ハンドルの主要なグリップ部分を覆う「手袋のように」適合する圧入構成要素として形成され得る。ハンドルアダプタ４１０の内部分は、ハンドルアセンブリ１０２（図５８〜６０）の固定ハンドル１２２の部分上に画定される対応する開口部（図示せず）に受容され得るスナップボタン特徴部４０４を含む。スナップボタン特徴部４０４は、ハンドルアダプタ４１０を固定ハンドル１２２に機械的に取り付け、使用中にハンドルアダプタ４１０を定位置に保持する。ハンドルアダプタ４１０は、ハンドルアセンブリ１０２の固定ハンドル１０２から容易に取り外し可能であるように取り付けられる。ハンドルアダプタ４１０は、とりわけ、様々なジュロ硬度を有する多種類のエラストマー、剛性ポリマー、及び柔軟なポリマーを含む多様な材料で形成され得る。一実施形態では、アダプタの表面積は、ハンドルアダプタ４１０の形状の輪郭を覆う広範な質感及びグリップ詳細を含むことができる。別の実施形態では、ハンドルアダプタ４１０は、主要なハンドルの一部として組み込まれる様々な寸法特徴を含むことができ、係止／解放制御は、特定の手の寸法に対する実質的に無限の調整を可能にするために、ハンドルアダプタ４１０の近位部分が延長するか、又は縮むことを可能にする。
【０１４０】
ここで図７０〜８７を見ると、超音波外科用器具１００、特に腹腔鏡超音波外科用器具１００の多機能性能は、ユーザが器具の多面的機能及び制御に快適にアクセスし、操作することに対するある人間工学的課題をもたらす。これらは、エンドエフェクタアセンブリ１１２のクランピング機構の顎部を快適に作動させ、トグルスイッチ１３２などの手による制御ボタンを起動する能力を含む。ユーザは、例えば、拡張切開を容易にするために、エンドエフェクタアセンブリ１１２の方向１４８Ｂ（図３及び１１）への開口運動を制御することが可能でなければならない。腹腔鏡器具を使用する拡張切開は、ユーザが複数の方向へ器具を操作することを可能にする反応面を必要とする。「固定された」指に対抗する親指の外向きの動作を使用することは、この目的を達成するための妥当な外向きの運動を提供する。前述の超音波外科用器具は、ハンドルアセンブリと一体的に形成されるか、又はそれに取り外し可能に取り付けられるかのいずれかの固定ハンドルを備えるハンドルアセンブリを含む。ピストルグリップは、ハンドルストック上のグリップを維持しつつ、人差し指及び中指で外向きに押され得るトリガを組み込む。しかしながら、この外向きの運動は、拡張又は微細切開処置の間、疲労及び手の緊張をもたらし得る。それでも、この外向きの運動は、拡張又は微細切開腹腔鏡的処置の間に必要である。グリップ様式のその快適性、容易性、及び安定性のために多くの外科医によって好まれるピストルグリップハンドルは、切開の容易性に対して最適ではない場合がある。切開のために、多くの外科医は、鋏様のループ又はリング型グリップを好む。したがって、以下に記載される様々な実施形態は、鋏様ループ又はリング型グリップを用いて適合され、構成され得るハンドルアセンブリを備える超音波外科用器具を提供する。鋏様ループ又はリング型グリップは、ハンドルアセンブリと一体的に形成され得るか、又は取り外し可能に取り付けられたループアダプタの形で実践され得る。
【０１４１】
図７０は、ループハンドルアダプタアセンブリ４１８を備える超音波外科用器具のハンドルアセンブリ１０２の一実施形態を示す。ループハンドルアダプタアセンブリ４１８は、ループハンドルアダプタ４２０と、それに取り付けられる弾性のある柔軟な、及び／又は可撓性要素４２８とを備える。ループハンドルアダプタ４２０は、ハンドルアセンブリ１０２の固定ハンドル１２２の部分を、従来のピストルグリップから開口４２２によって画定される一対のループを備える鋏様ループ又はリング型グリップに適合又は変換する。ループハンドルアダプタ４２０は、例えば、拡張又は微細切開腹腔鏡的処置の間に、ハンドルアセンブリ１０２の外向きの運動のより制御された操作の使用を促進する。ループハンドルアダプタ４２０は、ハンドルアセンブリ１０２の固定ハンドル１２２の部分に取り外し可能に取り付けるように適合され、構成される。ループハンドルアダプタ４２０は、１つ又はそれより多くのスナップ特徴部４２４（図７１）と、ループハンドルアダプタ４２０の内面４２５（図７１）上に一体に形成される１つ又はそれより多くの支柱４２６（図７１、７７、７９）とを備える。１つ又はそれより多くのスナップ特徴部４２４（図７１〜７３、７７〜８０）は、ループハンドルアダプタ４２０をハンドルアセンブリ１０２の固定ハンドル１２２に取り外し可能に係合させる。１つ又はそれより多くの支柱４２６は、ループハンドルアダプタ４２０を固定ハンドル１２２に整合させる。一実施形態では、細長トリガフック１２４は、例えば、ＧＬＳ社（GLS Corporation）によって作製されるバーサフレックス（Versaflex）（登録商標）ＴＰＥ合金を含む柔軟な弾性可撓性高分子材料で形成される複数の結節１２７を備えることができる。
【０１４２】
開口４２２は、ベース部分４３６及び上部サドル面４３８で接合される、２つの湾曲要素４３０ａ、ｂ（４３０ｂは図７１〜７９に示される）及び近位接触要素４３２によって画定される。２つの湾曲要素４３０ａ、ｂ及び近位接触要素４３２は、安定化尾部４３４も画定する。開口４２２は、そこを取ってユーザの親指を受容するために好適であり、ユーザがハンドルアセンブリ１０２をより容易、かつ快適に操作するか、又は引き込み力をかけることを可能にする。ユーザは、開口４２２を通して親指を挿入し、手を係合するために露出されたままである固定ハンドル１２２の近位接触面１２８及びサドル面１３０を係合する。ループハンドルアダプタ４２０は、従来のピストルグリップを有するハンドルアセンブリ１０２を使用したいより大きい手のユーザのためのアダプタとしても使用され得る。近位接触要素４３２、上部サドル面４３８、及び安定化尾部４３４は、トリガ１２０及びスイッチアセンブリ１０８などの制御により快適に到達するために、より大きい手に適合するためのより大きい全長を提供する。ループハンドルアダプタ４２０は、親指の下の付け根部分に適合する下部サドル面４４２も画定する。
【０１４３】
図７１〜８０は、ループハンドルアセンブリ４１８の一実施形態を示す。示されるように、ループハンドルアセンブリ４１８は、可撓性要素４２８に連結されるループハンドルアダプタ４２０を備える。ループハンドルアダプタ４２０は、軸４３５に対する半径「ｒ」を画定する２つの湾曲要素４３０ａ、ｂを備える。２つの湾曲要素４３０ａ、ｂは、開口４２２、上部サドル面４３８、安定化尾部４３４、及び下部サドル面４４２を画定するように近位接触要素４３２に接合する。機能的に、開口４２２は、ユーザがハンドルアセンブリ１０２の操作において補助するために親指を使用することを可能にする。上部サドル面４３８及び安定化尾部４３４は、図２５及び２６を参照して上述したのと同じ機能を行う。支柱４２６は、ループハンドルアダプタ４２０のベース部分４３６の付近に形成され得、固定ハンドル１２２の側面上に形成される対応するへこみ又は開口部（図示せず）へ嵌る２つのスナップ特徴部４２４は、ハンドルアセンブリ１０２のサドル面１３０の領域の付近に形成され得る。これは、必要に応じて、容易に取り外すことができる、即座に固定する取り外し可能に搭載された接続を可能にする。可撓性要素４２８は、弾性を提供し、親指の側面への圧力を低下させる複数のリブ４４０を備える。可撓性要素４２８は、ループハンドルアダプタ４２０の下部サドル面４４２を係合する下部サドル面４４２ａも備える。ループハンドルアダプタ４２０は、ユーザの親指を係合する接触面４４４も提供する。一実施形態では、弾性のある柔軟な可撓性要素４２８は、ループハンドルアダプタ４２０の近位接触要素４３２に取り付けられるか、又は成型され得る。ループハンドルアダプタ４２０は、可撓性要素４２８を有する単一構成要素として形成され得るか、又はそれらは、別々の構成要素として形成され得る。ループハンドルアダプタ４２０は、ポリカーボネートなどの耐久性プラスチックで形成され得、可撓性要素４２８は、例えば、ＧＬＳ社（GLS Corporation）によって作製されるバーサフレックス（Versaflex）（登録商標）ＴＰＥ合金を含む、より柔らかく、柔軟な弾性可撓性高分子材料で形成され得る。可撓性要素４２８は、ループハンドルアダプタ４２０を覆うように成型され得るか、又は別々に形成され、その後、それに取り付けられえる。
【０１４４】
図８１〜８２は、ループハンドルアダプタ４２０の一実施形態の左及び正面斜視図を示す。図８２は、可撓性要素４２８を受容するための近位接触要素４３２の内部本体部分４３２ａを示す。
【０１４５】
図８３〜８７は、図７１〜８０に示されるループハンドルアセンブリ４１８の可撓性要素４２８の部分の一実施形態を示す。可撓性要素４２８は、例えば、ＧＬＳ社（GLS Corporation）によって作製されるバーサフレックス（Versaflex）（登録商標）ＴＰＥ合金を含む柔軟な弾性可撓性高分子材料で形成され得る。可撓性要素４２８は、単一要素で形成され、接触面４４４と、複数のリブ４４０と、図８１〜８２に示されるループハンドルアダプタ４２０の下部サドル部分４４２に係合するように適合されるサドル面接触面４４２ｂとを備える。サドル面４４２ａは、ユーザの親指又は手によって係合され得る。可撓性要素４２８は、近位接触要素４３２の内部本体部分４３２ａを受容するチャネル４４６も備える。示されるように、チャネル４４６は、ループハンドルアダプタ４２０の下部サドル面４４２に適合するために、より大きいチャネル４４８に拡張する。
【０１４６】
ここで図８８〜９０を見ると、医療器具のための特定の設計の人間工学の実行可能性を評価するために、いくつかの要因を適用することができる。快適性だけではなく、一客観的要因は、容易に外科的任務を遂行するために必要な好適な制御の程度を有するハンドルアセンブリ１０２の作業端を制御する能力である。この制御が到達され得る程度は、まず、ユーザの手中のハンドルアセンブリ１０２の固有安定性から生じ、次に、特定の器具制御を操作するために必要なより微細な運動の容易性から生じる。設計努力は、微調整への適切なアクセスを容易にしつつ、手中の総合安定性に到達する能力のバランスをとることを含む。
【０１４７】
様々な実施形態では、ハンドルアセンブリ１０２は、多様なピストルグリップを適用することによって安定化することができる。ピストルグリップの様々な実施形態は、手上のいくつかの固定点を提供する。
（１）関節の水かきにある親指と人差し指との間にある圧迫力
（２）親指と人差し指との間の把持力
（３）トリガ１２０を作動させながらの指と手のひらとの間の保持力
【０１４８】
固定点として使用され得るハンドルアセンブリ１０２の遠位端上の様々な制御の間に最適な位置が存在する。これらは、遠位回転ノブ１３４と、トグルスイッチ１３２と、トリガ１２０と、手の関節の親指／人差し指の水かき上にあるサドル面１３０との間の位置を含む。いくつかの実施形態は、サドル面１３０と前制御との間の基本距離を変化させることを含む、様々な手の寸法に適合するための固定ハンドル１２２の部分の幅が異なる。他の実施形態は、手のひらに対して固定ハンドル１２２の端部を位置付けるための固定ハンドル１２２の長さが異なる。更に、他の実施形態は、固定ハンドル１２２の角度が異なる。
【０１４９】
図８８は、固定ハンドル１２２の後ろ又は近位の位置で形成される湾曲安定突起３５２（例えば、隆起）を備えるハンドルアセンブリ３５０の一実施形態を示す。湾曲安定突起３５２は、ハンドルアセンブリ３５０を安定させるために、固定ハンドル１２２と手のひらの長さとの間に密接な接触面を提供する。一固定点は、ハンドルアセンブリ３５０のサドル面１３０を、上述のように手の関節の親指／人差し指の水かきに配置することによって得ることができる。第２の固定領域は、ハンドルアセンブリ３５０と手のひらの中心との間の接触を得るために、湾曲安定突起３５２を固定ハンドル１２２の後ろに配置することによって得られる。この方法で、固定ハンドル１２２のベース３５４での小さい面積の代わりに、大きい面積の接触が、手のひらの中心で得られる。ハンドルアセンブリ３５０のサドル面１３０は、最適グリップ長さ３５６を変化させることなく維持される。接触面積は、湾曲安定突起３５２の広い湾曲のため、手の寸法にかかわらず得ることができる。２つの固定点を提供することは、実際にかかった手の力をほとんど伴わずに、器具の遠位先端がサドル面１３０の周りを回転しないように機械的に妨げるため、手の指を自由にさせ、例えば、遠位回転ノブ１３４、トグルスイッチ１３２、及びトリガ１２０などのより微細な制御を作動させる。湾曲安定突起３５２は、ハンドルアセンブリ３５２の固定ハンドル１２２の長さと一体となって形成され得るか、又はより柔らかく、より適合する材料を固定ハンドル１２２に付加することによって形成され得る。
【０１５０】
図８９及び９０は、固定ハンドル１２２の両側上に形成される突出部３６２を備えるハンドルアセンブリ３６０の一実施形態を示す。突出部３６２は、追加的な固定点及び人間工学的利益を本明細書に記載されるハンドルアセンブリに提供する。一実施形態では、突出部３６２は、切開又は他の種類の外科的処置の間にハンドルアセンブリ３６０の追加的な制御を可能にする。一部のユーザは、器具を操作している間にある超音波外科用器具を使用するとき、疲労及び制御の低下を経験する場合がある。疲労及び制御の低下につながり得る一要因は、ユーザの他の指で細長トリガフック１２４上を外向きに押しつつユーザの親指と人差し指との間で固定ハンドル１２２を挟むことである。したがって、ハンドルアセンブリ３６０の両側に取り付けられるか、又は形成される耳様突出部３６２は、ユーザが親指と係合するための縁部又は表面接触面積を提供する。突出部３６２は、切開などの外科的処置の間、ハンドルアセンブリ３６０を安定させ、ハンドルアセンブリ３６０を親指と人差し指との間で圧迫することによる疲労をある程度軽減する。突出部３６２は、親指及び人差し指を圧迫することからの摩擦及び圧迫に依存する代わりに、親指が方向３６６の方向の伸展力に対抗することを可能にする隆起部３６４と、反対の表面とを備えることができる。突出部は、質感があるか、又は適合した材料でオーバーモールドされ、ユーザが外科用手袋を装着しているときのグリップ、又は感触を改善する。それは、親指又は人差し指を置くことができる任意の鋭い、又は不快な縁部を生じないような輪郭であり得る。
【０１５１】
ブレードと、近位組織パッドセグメントと遠位組織パッドセグメントと組織パッド挿入セグメントとを備えるクランプアームアセンブリと、を備える種々の実施形態が記載された。ブレードに対するクランプアームアセンブリの旋回運動は、溶接ピン固定又は他の固定手段を介して超音波手術器具に連動するクランプアームアセンブリのクランプアーム部分上の一対の旋回点の提供により影響され得る。組織パッドセグメントは、例えばリベット、のり、接着剤、エポキシ、プレス嵌め、又は当該技術分野において既知の他の任意の締結手段を含む機械的手段によりクランプアームに取り付けられてもよい。更に、組織パッドセグメントは、任意の既知の手段によりクランプアームに取り外し可能に取り付けられてもよい。
【０１５２】
様々な実施形態において、クランプアームは、近位組織パッドセグメント、遠位組織パッドセグメント、及び組織パッド挿入セグメントのＴ字形フランジを受け入れるためのＴ字形スロットを含んでもよい。様々な実施形態において、単一の一体型組織パッドアセンブリは、近位組織パッドセグメント、遠位組織パッドセグメント、及び組織パッド挿入セグメントを含んでもよく、クランプアームアセンブリ中のＴ字形スロットの中に受け入れるために、Ｔ字形フランジを更に含んでもよい。鳩尾形スロット及びくさび形フランジを含む追加的構成が想到される。当業者に理解されるように、フランジ及び対応するスロットは、組織パッドセグメントをクランプアームに取り外し可能に固定するために、代替的形状及び大きさを有する。
【０１５３】
近位組織パッドセグメント、遠位組織パッドセグメント、及び／又は組織パッド挿入セグメントを取り替えるための方法は、ａ）クランプアームアセンブリを超音波外科用器具から取り外す工程、ｂ）組織パッドセグメントのうち少なくとも１つをクランプアームから取り除く工程、ｃ）少なくとも１つの新しい又は再調整された組織パッドセグメントをクランプアームの中に挿入する工程、ｄ）クランプアームアセンブリを超音波外科用器具と係合させる工程のうちの１つ以上を含む。この取り除き又は取り替えプロセスにおいて、新しい又は再調整された近位組織パッドセグメント、遠位組織パッドセグメント、及び組織パッド挿入セグメントは、複数の別個のセグメントであってもよいし、又は一体型構成体であってもよい。
【０１５４】
近位組織パッドセグメント、遠位組織パッドセグメント、及び／又は組織パッド挿入セグメントを取り替えるための別の方法は、ａ）クランプアーム上のフランジを開く工程、ｂ）組織パッドセグメントのうち少なくとも１つをクランプアームから取り除く工程、ｃ）少なくとも１つの新しい又は再調整された組織パッドセグメントをクランプアームの中に挿入する工程、ｄ）クランプアーム上のフランジを閉じる工程のうちの１つ以上を含む。この取り除き又は取り替えプロセスにおいて、新しい又は再調整された近位組織パッドセグメント、遠位組織パッドセグメント、及び組織パッド挿入セグメントは、複数の別個のセグメントであってもよいし、又は一体型構成体であってもよい。
【０１５５】
好ましくは、本明細書に記載の様々な実施形態は、外科手術前に処理される。最初に、新しい又は使用済みの器具を得て、必要であれば洗浄する。次に器具を滅菌することができる。これは、例えば、β又はγ放射線、エチレンオキシド滅菌、及び／又は蒸気を含む当業者に既知の任意の方法で行うことができる。ある滅菌技術において、器具は、プラスチック製又はタイベック（TYVEK）（登録商標）製のバックなど、閉じられた密封容器内に置かれる。容器及び器具は次に、γ線、Ｘ線、又は高エネルギー電子滅菌などの容器を貫通することができる放射線場の中に設置される。滅菌は、器具上及び容器内のバクテリアを死滅させる。次に、滅菌済みの器具を滅菌容器に保管することができる。シールされた容器は、医療施設において開かれるまで器具を無菌に保つ。
【０１５６】
本明細書で様々な実施形態について記載したが、それらの実施形態の多くの修正形態及び変形形態を実施することができる。例えば、異なるタイプのエンドエフェクタを用いることができる。加えて、記載された実施形態の組み合わせが使用されてもよい。例えば、凹形のブレード先端が疎水性材料でコーティングされてもよい。また、特定の構成要素について材料が開示される場合、他の材料が使用されてもよい。以上の説明及び以下の特許請求の範囲は、そのような修正形態及び変形形態すべてに及ぶものとする。
【０１５７】
参照によって本願に組み込まれると述べられた任意の特許、公報、又は他の開示要素は、部分的にあるいは全体的に、その組み込まれた文献が既存の定義、記載内容、又は本開示に示した他の開示要素と矛盾しない範囲で、本願に組み込まれる。したがって、必要な範囲で、本願に明示的に示した開示内容は、参照によって本願に組み込まれた如何なる矛盾する文献に優先する。参照によって本願に組み込まれると述べられた要素又はその一部分であっても、既存の定義、記載内容、又は本願に示された他の開示要素と矛盾するものは、その組み込まれる要素と既存の開示要素との間に矛盾が生じない範囲でのみ、組み込まれる。
【０１５８】
〔実施の態様〕
（１）  近位端及び遠位端を有するハウジングと、
前記ハウジングの前記近位端に形成される近位開口部と、
前記ハウジングの前記遠位端に形成される遠位開口部であって、前記近位開口部及び前記遠位開口部は、長手方向軸を定める、遠位開口部と、
前記長手方向軸から下向きに延在するハンドルであって、前記ハンドルは、近位接触面、サドル面、及び安定化尾部を画定する、ハンドルと、
前記ハウジングに枢動可能に取り付けられ、前記ハンドルに対して枢動可能に移動可能なトリガと、を備える、外科用器具ハンドルアセンブリ。
（２）  前記遠位開口部に連結される遠位回転ノブを備え、前記遠位回転ノブは、複数の縦溝を備える、実施態様１に記載の外科用器具。
（３）  前記遠位回転ノブは、弾性材料を含む、実施態様２に記載の外科用器具。
（４）  前記ハウジングの前記遠位端に枢動可能に連結されるトグルスイッチを備える、実施態様１に記載の外科用器具。
（５）  前記近位接触面上に形成される湾曲安定突起を備える、実施態様１に記載の外科用器具。
（６）  前記ハウジング上に形成される少なくとも１つの突出部を備える、実施態様１に記載の外科用器具。
（７）  前記近位接触面は、第１の基準点から測定される第１の半径によって画定され、前記サドル面は、第２の基準点から測定される第２の半径によって画定され、前記安定化尾部は、第３の基準点から測定される第３の半径によって画定される、実施態様１に記載の外科用器具。
（８）  近位端及び遠位端を有するハウジングと、
前記ハウジングの前記近位端に形成される近位開口部と、
前記ハウジングの前記遠位端に形成される遠位開口部であって、前記近位開口部及び前記遠位開口部は、長手方向軸を定める、遠位開口部と、
前記長手方向軸から下向きに延在するハンドルであって、前記ハンドルは、近位接触面、サドル面、及び安定化尾部を画定する、ハンドルと、
前記近位開口部に連結される遠位回転ノブであって、前記遠位回転ノブは、複数の縦溝を備える、遠位回転ノブと、を備える、外科用器具ハンドルアセンブリ。
（９）  前記遠位回転ノブは、弾性材料を含む、実施態様８に記載の外科用器具。
（１０）  前記ハウジングの前記遠位端に枢動可能に連結されるトグルスイッチを備える、実施態様８に記載の外科用器具。
【０１５９】
（１１）  前記近位接触面上に形成される湾曲安定突起を備える、実施態様８に記載の外科用器具。
（１２）  前記ハウジング上に形成される少なくとも１つの突出部を備える、実施態様８に記載の外科用器具。
（１３）  前記近位接触面は、第１の基準点から測定される第１の半径によって画定され、前記サドル面は、第２の基準点から測定される第２の半径によって画定され、前記安定化尾部は、第３の基準点から測定される第３の半径によって画定される、実施態様８に記載の外科用器具。
（１４）  近位端及び遠位端を有するハウジングと、
前記ハウジングの前記近位端に形成される近位開口部と、
前記ハウジングの前記遠位端に形成される遠位開口部であって、前記近位開口部及び前記遠位開口部は、第１の長手方向軸を定める、遠位開口部と、
前記長手方向軸から下向きに延在するハンドルであって、前記ハンドルは、サドル面を画定し、前記サドル面は、前記第１の長手方向軸に平行な第２の長手方向軸に沿って第１の基準点を定める、ハンドルと、
前記ハウジングの前記遠位端に枢動可能に取り付けられ、完全に開いた位置から完全に閉じた位置へ前記ハンドルに対して枢動可能に移動可能なトリガであって、前記トリガは開口を画定し、前記開口は第２の基準点を定める、トリガと、を備える、外科用器具ハンドルアセンブリであって、
前記第２の基準点は、前記第１の基準点から前記第２の基準点まで測定される第１の長さｄ４を有する第１のベクトルに沿って配置され、
前記第２の基準点は、前記第１のベクトルと前記第２の長手方向軸との間で測定される第１の角度φ４で配置される、外科用器具ハンドルアセンブリ。
（１５）  前記第１の角度φ４は、前記トリガが、完全に開いた位置から完全に閉じた位置へ枢動可能に回転する際、実質的に一定にとどまる、実施態様１４に記載の外科用器具ハンドルアセンブリ。
（１６）  前記遠位開口部と前記トリガとの間の前記ハウジングの前記遠位部分に枢動可能に連結されるトグルスイッチを備え、前記トグルスイッチは、第３の基準点を定める第１の突起ノブを備える、実施態様１４に記載の外科用器具ハンドルアセンブリ。
（１７）  前記第３の基準点は、前記第１の基準点から前記第３の基準点まで測定される第２の長さｄ２を有する第２のベクトルに沿って配置され、
前記第３の基準点は、前記第１のベクトルと前記第２のベクトルとの間で測定される第２の角度φ２で配置される、実施態様１６に記載の外科用器具ハンドルアセンブリ。
（１８）  前記第２の角度φ２は、前記トリガが、完全に開いた位置から完全に閉じた位置へ枢動可能に回転する際、実質的に一定にとどまる、実施態様１７に記載の外科用器具ハンドルアセンブリ。
（１９）  前記トグルスイッチは、第４の基準点を定める第２の突起ノブを更に備え、
前記第４の基準点は、前記第１の基準点から前記第４の基準点まで測定される第３の長さｄ３を有する第３のベクトルに沿って配置され、
前記第４の基準点は、前記第１のベクトルと前記第３のベクトルとの間で測定される第３の角度φ３で配置される、実施態様１７に記載の外科用器具ハンドルアセンブリ。
（２０）  前記第３の角度φ３は、前記トリガが、完全に開いた位置から完全に閉じた位置へ枢動可能に回転する際、実質的に一定にとどまる、実施態様１９に記載の外科用器具ハンドルアセンブリ。
【０１６０】
（２１）  前記遠位開口部に連結される遠位回転ノブを備え、前記遠位回転ノブは、第５の基準点を定める複数の縦溝を備える、実施態様１９に記載の外科用器具ハンドルアセンブリ。
（２２）  前記第５の基準点は、前記第１の基準点から前記第５の基準点まで測定される第４の長さｄ１を有する第４のベクトルに沿って配置され、
前記第５の基準点は、前記第１のベクトルと前記第４のベクトルとの間で測定される第４の角度φ１で配置される、実施態様２１に記載の外科用器具ハンドルアセンブリ。
（２３）  前記第４の角度φ１は、前記トリガが、完全に開いた位置から完全に閉じた位置へ枢動可能に回転する際、実質的に一定にとどまる、実施態様２２に記載の外科用器具ハンドルアセンブリ。
（２４）  前記角度φ１、φ２、及びφ３は、以下の関係：
φ３＜φ２＜φ１に従って選択される、実施態様２２に記載の外科用器具ハンドルアセンブリ。
（２５）  前記ベクトル長さｄ１、ｄ２、及びｄ３は、以下の関係：
ｄ３＜ｄ２＜ｄ１に従って選択される、実施態様２２に記載の外科用器具ハンドルアセンブリ。
（２６）  外科用器具のハンドルアセンブリのためのアダプタであって、前記ハンドルアセンブリは、第１の近位接触面、第１のサドル面、及び第１の安定化尾部を画定する固定ハンドルを備える、アダプタにおいて、
内面及び外面を画定する本体であって、前記内面は、前記固定ハンドルを受容するための開口部を形成し、前記内面は、前記固定ハンドルの前記第１の接触面、前記第１のサドル面、及び前記第１の安定化尾部の逆形状である輪郭を画定し、前記外面は、第２の接触面、第２のサドル面、及び第２の安定化尾部を形成する輪郭を画定する、本体を備え、
前記本体は、前記固定ハンドルの寸法を増加させる大きさであり、
前記第１及び第２の接触面、前記第１及び第２のサドル面、並びに前記第１及び第２の安定化尾部は、実質的に同様である、アダプタ。
（２７）  前記内面の前記開口部は、前記固定ハンドルに摩擦係合するように適合される、実施態様２６に記載のアダプタ。
（２８）  前記本体の前記内面上に形成される少なくとも１つのスナップ特徴部を備え、前記スナップ特徴部は、前記本体を前記固定ハンドルに取り外し可能に取り付けるために、前記固定ハンドルの対応する寸法の開口部に受容されるように構成される、実施態様２６に記載のアダプタ。
（２９）  前記本体の前記内面上に形成される少なくとも１つの支柱を備え、前記支柱は、前記本体を前記固定ハンドルに整合させるために、前記固定ハンドルの対応する寸法の開口部に受容されるように構成される、実施態様２６に記載のアダプタ。
（３０）  外科用器具のハンドルアセンブリのためのアダプタであって、前記ハンドルアセンブリは、第１のベース面、第１のサドル面、及び第１の安定化尾部を画定する固定ハンドルを備える、アダプタにおいて、
第１及び第２の湾曲要素と、接触要素と、を備える本体であって、前記第１及び第２の湾曲要素並びに前記接触要素は、内面及び外面を画定する、本体を備え、
前記第１及び第２の湾曲要素は、上部サドル面、下部サドル面、並びに第１及び第２のループを画定し、前記下部サドル面は、前記第１の湾曲要素と前記第２の湾曲要素との間に配置され、
前記上部サドル面は、前記固定ハンドルの前記第１のサドル面を受容するような輪郭の内面を備え、
前記下部サドル面は、前記固定ハンドルの前記第１のベース部分を受容するような輪郭の内面を備える、アダプタ。
【０１６１】
（３１）  前記第１及び第２の湾曲要素の内面上に形成されるスナップ特徴部を備え、前記スナップ特徴部は、前記本体を前記固定ハンドルに取り外し可能に取り付けるために、前記固定ハンドルの対応する寸法の開口部に受容されるように構成される、実施態様３０に記載のアダプタ。
（３２）  前記下部サドル面の前記内面上に形成される少なくとも１つの支柱を備え、前記支柱は、前記本体を前記固定ハンドルに整合させるために、前記固定ハンドルの対応する寸法の開口部に受容されるように構成される、実施態様３０に記載のアダプタ。
（３３）  前記接触要素に取り付けられる可撓性要素を備え、前記可撓性要素は、前記接触要素の前記内面を受容するためのチャネルを備える、実施態様３０に記載のアダプタ。
（３４）  前記可撓性要素は、複数のリブを備える、実施態様３３に記載のアダプタ。
【図１】
0005863704.tif 000002
【図２】
0005863704.tif 000003
【図３】
0005863704.tif 000004
【図４】
0005863704.tif 000005
【図５】
0005863704.tif 000006
【図６】
0005863704.tif 000007
【図７】
0005863704.tif 000008
【図８】
0005863704.tif 000009
【図９】
0005863704.tif 000010
【図１０】
0005863704.tif 000011
【図１１】
0005863704.tif 000012
【図１２】
0005863704.tif 000013
【図１３】
0005863704.tif 000014
【図１４】
0005863704.tif 000015
【図１５】
0005863704.tif 000016
【図１６】
0005863704.tif 000017
【図１７】
0005863704.tif 000018
【図１８】
0005863704.tif 000019
【図１９】
0005863704.tif 000020
【図２０】
0005863704.tif 000021
【図２１】
0005863704.tif 000022
【図２２】
0005863704.tif 000023
【図２３】
0005863704.tif 000024
【図２４】
0005863704.tif 000025
【図２５】
0005863704.tif 000026
【図２６】
0005863704.tif 000027
【図２７】
0005863704.tif 000028
【図２８】
0005863704.tif 000029
【図２９】
0005863704.tif 000030
【図３０】
0005863704.tif 000031
【図３１】
0005863704.tif 000032
【図３２】
0005863704.tif 000033
【図３３】
0005863704.tif 000034
【図３４】
0005863704.tif 000035
【図３５】
0005863704.tif 000036
【図３６】
0005863704.tif 000037
【図３７】
0005863704.tif 000038
【図３８】
0005863704.tif 000039
【図３９】
0005863704.tif 000040
【図４０】
0005863704.tif 000041
【図４１】
0005863704.tif 000042
【図４２】
0005863704.tif 000043
【図４３】
0005863704.tif 000044
【図４４】
0005863704.tif 000045
【図４５】
0005863704.tif 000046
【図４６】
0005863704.tif 000047
【図４７】
0005863704.tif 000048
【図４８】
0005863704.tif 000049
【図４９】
0005863704.tif 000050
【図５０】
0005863704.tif 000051
【図５１】
0005863704.tif 000052
【図５２】
0005863704.tif 000053
【図５３】
0005863704.tif 000054
【図５４】
0005863704.tif 000055
【図５５】
0005863704.tif 000056
【図５６】
0005863704.tif 000057
【図５７】
0005863704.tif 000058
【図５８】
0005863704.tif 000059
【図５９】
0005863704.tif 000060
【図６０】
0005863704.tif 000061
【図６１】
0005863704.tif 000062
【図６２】
0005863704.tif 000063
【図６３】
0005863704.tif 000064
【図６４】
0005863704.tif 000065
【図６５】
0005863704.tif 000066
【図６６】
0005863704.tif 000067
【図６７】
0005863704.tif 000068
【図６８】
0005863704.tif 000069
【図６９】
0005863704.tif 000070
【図７０】
0005863704.tif 000071
【図７１】
0005863704.tif 000072
【図７２】
0005863704.tif 000073
【図７３】
0005863704.tif 000074
【図７４】
0005863704.tif 000075
【図７５】
0005863704.tif 000076
【図７６】
0005863704.tif 000077
【図７７】
0005863704.tif 000078
【図７８】
0005863704.tif 000079
【図７９】
0005863704.tif 000080
【図８０】
0005863704.tif 000081
【図８１】
0005863704.tif 000082
【図８２】
0005863704.tif 000083
【図８３】
0005863704.tif 000084
【図８４】
0005863704.tif 000085
【図８５】
0005863704.tif 000086
【図８６】
0005863704.tif 000087
【図８７】
0005863704.tif 000088
【図８８】
0005863704.tif 000089
【図８９】
0005863704.tif 000090
【図９０】
0005863704.tif 000091